(57)【要約】  本願は、情報通信方法、ユーザー機器、およびネットワークデバイスを提供する。方法は、ユーザー機器（UE）により、サービングセルのサブキャリア間隔を判断するステップと、UEにより、サービングセルのサブキャリア間隔に基づいてサービングセルのシステムパラメータを判断するステップと、UEにより、サービングセルのシステムパラメータに基づいてサービングセルの中でネットワークデバイスへ情報を送信し、またはサービングセルのシステムパラメータに基づいてサービングセルの中でネットワークデバイスから情報を受信するステップとを含む。本願で提供される情報通信方法、ユーザー機器、およびネットワークデバイスに基づくと、サービングセルが複数のシステムパラメータセットをサポートする場合に、サービングセルのサブキャリア間隔に基づいてサービングセルによって現在使用されているシステムパラメータを判断できるため、システムパラメータを使用して情報を送信または受信でき、情報通信の効率が向上する。
2019511174.tif 000002
【特許請求の範囲】
【請求項１】
情報通信方法であって、
ユーザー機器（UE）により、サービングセルのサブキャリア間隔を判断するステップと、
前記UEにより、前記サービングセルの前記サブキャリア間隔に基づいて前記サービングセルのシステムパラメータを判断するステップと、
前記UEにより、前記サービングセルの前記システムパラメータに基づいて前記サービングセルの中でネットワークデバイスへ情報を送信し、または前記サービングセルの前記システムパラメータに基づいて前記サービングセルの中で前記ネットワークデバイスから情報を受信するステップと
を含む方法。
【請求項２】
ユーザー機器（UE）により、サービングセルのサブキャリア間隔を判断する前記ステップは、
前記UEにより、前記サービングセルに対応する周波数セットを判断するステップと、
前記UEにより、前記サービングセルに対応する前記周波数セットに基づいて前記サービングセルに対応するサブキャリア間隔セットを判断するステップと、
前記UEにより、前記サービングセルに対応する前記サブキャリア間隔セットに基づいて前記サービングセルの前記サブキャリア間隔を判断するステップと
を含む、請求項1に記載の方法。
【請求項３】
ユーザー機器（UE）により、サービングセルのサブキャリア間隔を判断する前記ステップは、
前記UEにより、前記サービングセルのキャリア周波数を判断するステップと、
前記UEにより、前記サービングセルの前記キャリア周波数に基づいて前記サービングセルに対応するサブキャリア間隔セットを判断するステップと、
前記UEにより、前記サービングセルに対応する前記サブキャリア間隔セットに基づいて前記サービングセルの前記サブキャリア間隔を判断するステップと
を含む、請求項1に記載の方法。
【請求項４】
前記UEにより、前記サービングセルの前記キャリア周波数に基づいて前記サービングセルに対応するサブキャリア間隔セットを判断する前記ステップは、
前記サービングセルの前記キャリア周波数が6GHz以下である場合に、前記UEにより、前記サービングセルに対応する前記サブキャリア間隔セットがサブキャリア間隔15kHzおよびサブキャリア間隔30kHzを含むと判断するステップ、または
前記サービングセルの前記キャリア周波数が6GHzよりも大きく30GHz以下である場合に、前記UEにより、前記サービングセルに対応する前記サブキャリア間隔セットがサブキャリア間隔30kHzおよびサブキャリア間隔60kHzを含むと判断するステップ、または
前記サービングセルの前記キャリア周波数が30GHzよりも大きく100GHz以下である場合に、前記UEにより、前記サービングセルに対応する前記サブキャリア間隔セットがサブキャリア間隔120kHzおよびサブキャリア間隔240kHzを含むと判断するステップ
を含む、請求項3に記載の方法。
【請求項５】
前記UEにより、前記サービングセルの前記キャリア周波数に基づいて前記サービングセルに対応するサブキャリア間隔セットを判断する前記ステップは、
前記サービングセルの前記キャリア周波数が3GHz以下である場合に、前記UEにより、前記サービングセルに対応する前記サブキャリア間隔セットがサブキャリア間隔15kHzおよびサブキャリア間隔17.5kHzを含むと判断するステップ、または
前記サービングセルの前記キャリア周波数が3GHzよりも大きく6GHz以下である場合に、前記UEにより、前記サービングセルに対応する前記サブキャリア間隔セットがサブキャリア間隔17.5kHzおよびサブキャリア間隔35kHzを含むと判断するステップ、または
前記サービングセルの前記キャリア周波数が6GHzよりも大きく30GHz以下である場合に、前記UEにより、前記サービングセルに対応する前記サブキャリア間隔セットがサブキャリア間隔35kHzおよびサブキャリア間隔70kHzを含むと判断するステップ、または
前記サービングセルの前記キャリア周波数が30GHzよりも大きく100GHz以下である場合に、前記UEにより、前記サービングセルに対応する前記サブキャリア間隔セットがサブキャリア間隔140kHzおよびサブキャリア間隔280kHzを含むと判断するステップ
を含む、請求項3に記載の方法。
【請求項６】
前記UEにより、前記サービングセルに対応する前記サブキャリア間隔セットに基づいて前記サービングセルの前記サブキャリア間隔を判断する前記ステップは、
前記UEにより、前記サービングセルに対応する前記サブキャリア間隔セットに基づいて前記サービングセルの同期信号を検出するステップと、
前記UEにより、検出した前記サービングセルの前記同期信号に基づいて前記サービングセルの前記サブキャリア間隔を判断するステップと
を含む、請求項2から5のいずれか一項に記載の方法。
【請求項７】
前記UEにより、前記サービングセルに対応する前記サブキャリア間隔セットに基づいて前記サービングセルの前記サブキャリア間隔を判断する前記ステップは、
前記UEにより、前記サービングセルに対応する前記サブキャリア間隔セットに基づいて、前記サービングセルの同期信号に対応するサブキャリア間隔および前記サービングセルのブロードキャストチャネルに対応するサブキャリア間隔を判断するステップと、
前記UEにより、前記サービングセルの前記同期信号に対応する前記サブキャリア間隔に基づいて前記サービングセルの前記同期信号を検出し、前記サービングセルと同期するステップと、
前記UEにより、前記サービングセルの前記ブロードキャストチャネルに対応する前記サブキャリア間隔に基づいて前記サービングセルのマスター情報ブロックを検出するステップであって、前記マスター情報ブロックがサブキャリア間隔指示情報を含み、前記サブキャリア間隔指示情報が前記サービングセルの前記サブキャリア間隔を前記UEに指示するために使用される、ステップと、
前記UEにより、前記サブキャリア間隔指示情報に基づいて前記サービングセルの前記サブキャリア間隔を判断するステップと
を含む、請求項2から5のいずれか一項に記載の方法。
【請求項８】
前記サービングセルの前記同期信号に対応する前記サブキャリア間隔と前記サービングセルの前記ブロードキャストチャネルに対応する前記サブキャリア間隔は同一であり、前記サービングセルに対応する前記サブキャリア間隔セットの中で最も大きいサブキャリア間隔である、請求項7に記載の方法。
【請求項９】
ユーザー機器（UE）により、サービングセルのサブキャリア間隔を判断する前記ステップは、
前記UEにより、前記サービングセルの同期信号に対応するサブキャリア間隔および前記サービングセルのブロードキャストチャネルに対応するサブキャリア間隔を判断するステップと、
前記UEにより、前記サービングセルの前記同期信号に対応する前記サブキャリア間隔に基づいて前記サービングセルの前記同期信号を検出し、前記サービングセルと同期するステップと、
前記UEにより、前記サービングセルの前記ブロードキャストチャネルに対応する前記サブキャリア間隔に基づいて前記サービングセルのマスター情報ブロックを検出するステップであって、前記サービングセルの前記マスター情報ブロックがサブキャリア間隔指示情報を含み、前記サブキャリア間隔指示情報が前記サービングセルの前記サブキャリア間隔を前記UEに指示するために使用される、ステップと、
前記UEにより、前記サブキャリア間隔指示情報に基づいて前記サービングセルの前記サブキャリア間隔を判断するステップと
を含む、請求項1に記載の方法。
【請求項１０】
前記サービングセルの前記同期信号に対応するサイクリックプレフィックスと前記サービングセルの前記ブロードキャストチャネルに対応するサイクリックプレフィックスはいずれも、前記サービングセルのデータチャネルに対応するサイクリックプレフィックスよりも大きい、請求項7から9のいずれか一項に記載の方法。
【請求項１１】
前記サービングセルの前記システムパラメータは、サブフレーム長、サブフレームに含まれるシンボル数、およびサイクリックプレフィックス（CP）長のうちの1つ以上を含む、請求項1から10のいずれか一項に記載の方法。
【請求項１２】
情報通信方法であって、
ネットワークデバイスにより、サービングセルのサブキャリア間隔を判断するステップと、
前記ネットワークデバイスにより、前記サービングセルの前記サブキャリア間隔に基づいて前記サービングセルのシステムパラメータを判断するステップと、
前記ネットワークデバイスにより、前記サービングセルの前記システムパラメータに基づいて前記サービングセルの中でユーザー機器（UE）へ情報を送信し、または前記サービングセルの前記システムパラメータに基づいて前記サービングセルの中で前記UEから情報を受信するステップと
を含む方法。
【請求項１３】
ネットワークデバイスにより、サービングセルのサブキャリア間隔を判断する前記ステップは、
前記ネットワークデバイスにより、前記サービングセルに対応する周波数セットを判断するステップと、
前記ネットワークデバイスにより、前記サービングセルに対応する前記周波数セットに基づいて前記サービングセルに対応するサブキャリア間隔セットを判断するステップと、
前記ネットワークデバイスにより、前記サービングセルに対応する前記サブキャリア間隔セットに基づいて前記サービングセルの前記サブキャリア間隔を判断するステップと
を含む、請求項12に記載の方法。
【請求項１４】
ネットワークデバイスにより、サービングセルのサブキャリア間隔を判断する前記ステップは、
前記ネットワークデバイスにより、前記サービングセルのキャリア周波数を判断するステップと、
前記ネットワークデバイスにより、前記サービングセルの前記キャリア周波数に基づいて前記サービングセルに対応するサブキャリア間隔セットを判断するステップと、
前記ネットワークデバイスにより、前記サービングセルに対応する前記サブキャリア間隔セットに基づいて前記サービングセルの前記サブキャリア間隔を判断するステップと
を含む、請求項12に記載の方法。
【請求項１５】
前記ネットワークデバイスにより、前記サービングセルの前記キャリア周波数に基づいて前記サービングセルに対応するサブキャリア間隔セットを判断する前記ステップは、
前記サービングセルの前記キャリア周波数が6GHz以下である場合に、前記ネットワークデバイスにより、前記サービングセルに対応する前記サブキャリア間隔セットがサブキャリア間隔15kHzおよびサブキャリア間隔30kHzを含むと判断するステップ、または
前記サービングセルの前記キャリア周波数が6GHzよりも大きく30GHz以下である場合に、前記ネットワークデバイスにより、前記サービングセルに対応する前記サブキャリア間隔セットがサブキャリア間隔30kHzおよびサブキャリア間隔60kHzを含むと判断するステップ、または
前記サービングセルの前記キャリア周波数が30GHzよりも大きく100GHz以下である場合に、前記ネットワークデバイスにより、前記サービングセルに対応する前記サブキャリア間隔セットがサブキャリア間隔120kHzおよびサブキャリア間隔240kHzを含むと判断するステップ
を含む、請求項14に記載の方法。
【請求項１６】
前記ネットワークデバイスにより、前記サービングセルに対応する前記キャリア周波数に基づいて前記サービングセルに対応するサブキャリア間隔セットを判断する前記ステップは、
前記サービングセルの前記キャリア周波数が3GHz以下である場合に、前記ネットワークデバイスにより、前記サービングセルに対応する前記サブキャリア間隔セットがサブキャリア間隔15kHzおよびサブキャリア間隔17.5kHzを含むと判断するステップ、または
前記サービングセルの前記キャリア周波数が3GHzよりも大きく6GHz以下である場合に、前記ネットワークデバイスにより、前記サービングセルに対応する前記サブキャリア間隔セットがサブキャリア間隔17.5kHzおよびサブキャリア間隔35kHzを含むと判断するステップ、または
前記サービングセルの前記キャリア周波数が6GHzよりも大きく30GHz以下である場合に、前記ネットワークデバイスにより、前記サービングセルに対応する前記サブキャリア間隔セットがサブキャリア間隔35kHzおよびサブキャリア間隔70kHzを含むと判断するステップ、または
前記サービングセルの前記キャリア周波数が30GHzよりも大きく100GHz以下である場合に、前記ネットワークデバイスにより、前記サービングセルに対応する前記サブキャリア間隔セットがサブキャリア間隔140kHzおよびサブキャリア間隔280kHzを含むと判断するステップ
を含む、請求項14に記載の方法。
【請求項１７】
前記ネットワークデバイスにより、前記サービングセルに対応する前記サブキャリア間隔セットに基づいて、前記サービングセルの同期信号に対応するサブキャリア間隔および前記サービングセルのブロードキャストチャネルに対応するサブキャリア間隔を判断するステップと、
前記ネットワークデバイスにより、前記サービングセルの前記同期信号に対応する前記サブキャリア間隔に基づいて前記サービングセルの中で前記サービングセルの前記同期信号を送信し、前記サービングセルの前記ブロードキャストチャネルに対応する前記サブキャリア間隔に基づいて前記サービングセルの中で前記サービングセルの前記ブロードキャストチャネルを送信するステップであって、前記ブロードキャストチャネルで運ばれる前記サービングセルのマスター情報ブロックがサブキャリア間隔指示情報を含み、前記サブキャリア間隔指示情報が前記サービングセルの前記サブキャリア間隔を前記UEに指示するために使用される、ステップと
をさらに含む、請求項13から16のいずれか一項に記載の方法。
【請求項１８】
前記サービングセルの前記同期信号に対応する前記サブキャリア間隔と前記サービングセルの前記ブロードキャストチャネルに対応する前記サブキャリア間隔は同一であり、前記サービングセルに対応する前記サブキャリア間隔セットの中で最も大きいサブキャリア間隔である、請求項17に記載の方法。
【請求項１９】
前記ネットワークデバイスにより、前記サービングセルの同期信号に対応するサブキャリア間隔および前記サービングセルのブロードキャストチャネルに対応するサブキャリア間隔を判断するステップと、
前記ネットワークデバイスにより、前記サービングセルの前記同期信号に対応する前記サブキャリア間隔に基づいて前記サービングセルの中で前記サービングセルの前記同期信号を送信し、前記サービングセルの前記ブロードキャストチャネルに対応する前記サブキャリア間隔に基づいて前記サービングセルの中で前記サービングセルの前記ブロードキャストチャネルを送信するステップであって、前記ブロードキャストチャネルで運ばれる前記サービングセルのマスター情報ブロックがサブキャリア間隔指示情報を含み、前記サブキャリア間隔指示情報が前記サービングセルの前記サブキャリア間隔を前記UEに指示するために使用される、ステップと
をさらに含む、請求項12に記載の方法。
【請求項２０】
前記サービングセルの前記同期信号に対応するサイクリックプレフィックスと前記サービングセルの前記ブロードキャストチャネルに対応するサイクリックプレフィックスはいずれも、前記サービングセルのデータチャネルに対応するサイクリックプレフィックスよりも大きい、請求項17から19のいずれか一項に記載の方法。
【請求項２１】
前記サービングセルの前記システムパラメータは、サブフレーム長、サブフレームに含まれるシンボル数、およびサイクリックプレフィックス（CP）長のうちの1つ以上を含む、請求項12から20のいずれか一項に記載の方法。
【請求項２２】
ユーザー機器（UE）であって、
サービングセルのサブキャリア間隔を判断し、前記サービングセルの前記サブキャリア間隔に基づいて前記サービングセルのシステムパラメータを判断するように構成された処理部と、
前記処理部によって判断された前記サービングセルの前記システムパラメータに基づいて前記サービングセルの中でネットワークデバイスへ情報を送信し、または前記処理部によって判断された前記サービングセルの前記システムパラメータに基づいて前記サービングセルの中で前記ネットワークデバイスから情報を受信するように構成された送受信部と
を含むUE。
【請求項２３】
前記処理部がサービングセルのサブキャリア間隔を判断するように構成されることは、具体的には、
前記処理部が、前記サービングセルに対応する周波数セットを判断し、前記サービングセルに対応する前記周波数セットに基づいて前記サービングセルに対応するサブキャリア間隔セットを判断し、前記サービングセルに対応する前記サブキャリア間隔セットに基づいて前記サービングセルの前記サブキャリア間隔を判断するように構成されること
である、請求項22に記載のUE。
【請求項２４】
前記処理部がサービングセルのサブキャリア間隔を判断するように構成されることは、
前記処理部が、前記サービングセルのキャリア周波数を判断し、前記サービングセルの前記キャリア周波数に基づいて前記サービングセルに対応するサブキャリア間隔セットを判断し、前記サービングセルに対応する前記サブキャリア間隔セットに基づいて前記サービングセルの前記サブキャリア間隔を判断するように構成されること
である、請求項22に記載のUE。
【請求項２５】
前記処理部が前記サービングセルの前記キャリア周波数に基づいて前記サービングセルに対応するサブキャリア間隔セットを判断するように構成されることは、
前記処理部が、
前記サービングセルの前記キャリア周波数が6GHz以下である場合に、前記サービングセルに対応する前記サブキャリア間隔セットがサブキャリア間隔15kHzおよびサブキャリア間隔30kHzを含むと判断し、または
前記サービングセルの前記キャリア周波数が6GHzよりも大きく30GHz以下である場合に、前記サービングセルに対応する前記サブキャリア間隔セットがサブキャリア間隔30kHzおよびサブキャリア間隔60kHzを含むと判断し、または
前記サービングセルの前記キャリア周波数が30GHzよりも大きく100GHz以下である場合に、前記サービングセルに対応する前記サブキャリア間隔セットがサブキャリア間隔120kHzおよびサブキャリア間隔240kHzを含むと判断するように構成されること
である、請求項24に記載のUE。
【請求項２６】
前記処理部が前記サービングセルの前記キャリア周波数に基づいて前記サービングセルに対応するサブキャリア間隔セットを判断するように構成されることは、
前記処理部が、
前記サービングセルの前記キャリア周波数が3GHz以下である場合に、前記サービングセルに対応する前記サブキャリア間隔セットがサブキャリア間隔15kHzおよびサブキャリア間隔17.5kHzを含むと判断し、または
前記サービングセルの前記キャリア周波数が3GHzよりも大きく6GHz以下である場合に、前記サービングセルに対応する前記サブキャリア間隔セットがサブキャリア間隔17.5kHzおよびサブキャリア間隔35kHzを含むと判断し、または
前記サービングセルの前記キャリア周波数が6GHzよりも大きく30GHz以下である場合に、前記サービングセルに対応する前記サブキャリア間隔セットがサブキャリア間隔35kHzおよびサブキャリア間隔70kHzを含むと判断し、または
前記サービングセルの前記キャリア周波数が30GHzよりも大きく100GHz以下である場合に、前記サービングセルに対応する前記サブキャリア間隔セットがサブキャリア間隔140kHzおよびサブキャリア間隔280kHzを含むと判断するように構成されること
である、請求項24に記載のUE。
【請求項２７】
前記処理部が前記サービングセルに対応する前記サブキャリア間隔セットに基づいて前記サービングセルの前記サブキャリア間隔を判断するように構成されることは、
前記処理部が、前記送受信部を用いて、前記サービングセルに対応する前記サブキャリア間隔セットに基づいて前記サービングセルの同期信号を検出し、検出した前記サービングセルの前記同期信号に基づいて前記サービングセルの前記サブキャリア間隔を判断するように構成されること
である、請求項23から26のいずれか一項に記載のUE。
【請求項２８】
前記処理部が前記サービングセルに対応する前記サブキャリア間隔セットに基づいて前記サービングセルの前記サブキャリア間隔を判断するように構成されることは、
前記処理部が、
前記サービングセルに対応する前記サブキャリア間隔セットに基づいて、前記サービングセルの同期信号に対応するサブキャリア間隔および前記サービングセルのブロードキャストチャネルに対応するサブキャリア間隔を判断し、
前記送受信部を用いて、前記サービングセルの前記同期信号に対応する前記サブキャリア間隔に基づいて前記サービングセルの前記同期信号を検出し、前記送受信部を用いて、前記サービングセルと同期し、
前記送受信部を用いて、前記サービングセルの前記ブロードキャストチャネルに対応する前記サブキャリア間隔に基づいて前記サービングセルのマスター情報ブロックを検出し、前記マスター情報ブロックがサブキャリア間隔指示情報を含み、前記サブキャリア間隔指示情報が前記サービングセルの前記サブキャリア間隔を前記UEに指示するために使用され、
前記サブキャリア間隔指示情報に基づいて前記サービングセルの前記サブキャリア間隔を判断するように構成されること
である、請求項23から26のいずれか一項に記載のUE。
【請求項２９】
前記サービングセルの前記同期信号に対応する前記サブキャリア間隔と前記サービングセルの前記ブロードキャストチャネルに対応する前記サブキャリア間隔は同一であり、前記サービングセルに対応する前記サブキャリア間隔セットの中で最も大きいサブキャリア間隔である、請求項28に記載のUE。
【請求項３０】
前記処理部がサービングセルのサブキャリア間隔を判断するように構成されることは、
前記処理部が、
前記サービングセルの同期信号に対応するサブキャリア間隔および前記サービングセルのブロードキャストチャネルに対応するサブキャリア間隔を判断し、
前記送受信部を用いて、前記サービングセルの前記同期信号に対応する前記サブキャリア間隔に基づいて前記サービングセルの前記同期信号を検出し、前記送受信部を用いて、前記サービングセルと同期し、
前記送受信部を用いて、前記サービングセルの前記ブロードキャストチャネルに対応する前記サブキャリア間隔に基づいて前記サービングセルのマスター情報ブロックを検出し、前記サービングセルの前記マスター情報ブロックがサブキャリア間隔指示情報を含み、前記サブキャリア間隔指示情報が前記サービングセルの前記サブキャリア間隔を前記UEに指示するために使用され、
前記サブキャリア間隔指示情報に基づいて前記サービングセルの前記サブキャリア間隔を判断するように構成されること
である、請求項22に記載のUE。
【請求項３１】
前記サービングセルの前記同期信号に対応するサイクリックプレフィックスと前記サービングセルの前記ブロードキャストチャネルに対応するサイクリックプレフィックスはいずれも、前記サービングセルのデータチャネルに対応するサイクリックプレフィックスよりも大きい、請求項28から30のいずれか一項に記載のUE。
【請求項３２】
前記サービングセルの前記システムパラメータは、サブフレーム長、サブフレームに含まれるシンボル数、およびサイクリックプレフィックス（CP）長のうちの1つ以上を含む、請求項22から31のいずれか一項に記載のUE。
【請求項３３】
ネットワークデバイスであって、
サービングセルのサブキャリア間隔を判断し、前記サービングセルの前記サブキャリア間隔に基づいて前記サービングセルのシステムパラメータを判断するように構成された処理部と、
前記処理部によって判断された前記サービングセルの前記システムパラメータに基づいて前記サービングセルの中でユーザー機器（UE）へ情報を送信し、または前記処理部によって判断された前記サービングセルの前記システムパラメータに基づいて前記サービングセルの中で前記UEから情報を受信するように構成された送受信部と
を含むネットワークデバイス。
【請求項３４】
前記処理部がサービングセルのサブキャリア間隔を判断するように構成されることは、
前記処理部が、前記サービングセルに対応する周波数セットを判断し、前記サービングセルに対応する前記周波数セットに基づいて前記サービングセルに対応するサブキャリア間隔セットを判断し、前記サービングセルに対応する前記サブキャリア間隔セットに基づいて前記サービングセルの前記サブキャリア間隔を判断するように構成されること
である、請求項33に記載のネットワークデバイス。
【請求項３５】
前記処理部がサービングセルのサブキャリア間隔を判断するように構成されることは、
前記処理部が、前記サービングセルのキャリア周波数を判断し、前記サービングセルの前記キャリア周波数に基づいて前記サービングセルに対応するサブキャリア間隔セットを判断し、前記サービングセルに対応する前記サブキャリア間隔セットに基づいて前記サービングセルの前記サブキャリア間隔を判断するように構成されること
である、請求項33に記載のネットワークデバイス。
【請求項３６】
前記処理部が前記サービングセルの前記キャリア周波数に基づいて前記サービングセルに対応するサブキャリア間隔セットを判断するように構成されることは、
前記処理部が、
前記サービングセルの前記キャリア周波数が6GHz以下である場合に、前記サービングセルに対応する前記サブキャリア間隔セットがサブキャリア間隔15kHzおよびサブキャリア間隔30kHzを含むと判断し、または
前記サービングセルの前記キャリア周波数が6GHzよりも大きく30GHz以下である場合に、前記サービングセルに対応する前記サブキャリア間隔セットがサブキャリア間隔30kHzおよびサブキャリア間隔60kHzを含むと判断し、または
前記サービングセルの前記キャリア周波数が30GHzよりも大きく100GHz以下である場合に、前記サービングセルに対応する前記サブキャリア間隔セットがサブキャリア間隔120kHzおよびサブキャリア間隔240kHzを含むと判断するように構成されること
である、請求項35に記載のネットワークデバイス。
【請求項３７】
前記処理部が前記サービングセルの前記キャリア周波数に基づいて前記サービングセルに対応するサブキャリア間隔セットを判断するように構成されることは、
前記処理部が、
前記サービングセルの前記キャリア周波数が3GHz以下である場合に、前記サービングセルに対応する前記サブキャリア間隔セットがサブキャリア間隔15kHzおよびサブキャリア間隔17.5kHzを含むと判断し、または
前記サービングセルの前記キャリア周波数が3GHzよりも大きく6GHz以下である場合に、前記サービングセルに対応する前記サブキャリア間隔セットがサブキャリア間隔17.5kHzおよびサブキャリア間隔35kHzを含むと判断し、または
前記サービングセルの前記キャリア周波数が6GHzよりも大きく30GHz以下である場合に、前記サービングセルに対応する前記サブキャリア間隔セットがサブキャリア間隔35kHzおよびサブキャリア間隔70kHzを含むと判断し、または
前記サービングセルの前記キャリア周波数が30GHzよりも大きく100GHz以下である場合に、前記サービングセルに対応する前記サブキャリア間隔セットがサブキャリア間隔140kHzおよびサブキャリア間隔280kHzを含むと判断するように構成されること
である、請求項35に記載のネットワークデバイス。
【請求項３８】
前記処理部は、前記サービングセルに対応する前記サブキャリア間隔セットに基づいて、前記サービングセルの同期信号に対応するサブキャリア間隔および前記サービングセルのブロードキャストチャネルに対応するサブキャリア間隔を判断するようにさらに構成され、
前記送受信部は、前記処理部によって判断された、前記サービングセルの前記同期信号に対応する前記サブキャリア間隔に基づいて前記サービングセルの中で前記サービングセルの前記同期信号を送信し、前記処理部によって判断された、前記サービングセルの前記ブロードキャストチャネルに対応する前記サブキャリア間隔に基づいて前記サービングセルの中で前記サービングセルの前記ブロードキャストチャネルを送信し、前記ブロードキャストチャネルで運ばれる前記サービングセルのマスター情報ブロックがサブキャリア間隔指示情報を含み、前記サブキャリア間隔指示情報が前記サービングセルの前記サブキャリア間隔を前記UEに指示するために使用される、ようにさらに構成される、請求項34から37のいずれか一項に記載のネットワークデバイス。
【請求項３９】
前記サービングセルの前記同期信号に対応する前記サブキャリア間隔と前記サービングセルの前記ブロードキャストチャネルに対応する前記サブキャリア間隔は同一であり、前記サービングセルに対応する前記サブキャリア間隔セットの中で最も大きいサブキャリア間隔である、請求項38に記載のネットワークデバイス。
【請求項４０】
前記処理部は、前記サービングセルの同期信号に対応するサブキャリア間隔および前記サービングセルのブロードキャストチャネルに対応するサブキャリア間隔を判断するようにさらに構成され、
前記送受信部は、前記処理部によって判断された、前記サービングセルの前記同期信号に対応する前記サブキャリア間隔に基づいて前記サービングセルの中で前記サービングセルの前記同期信号を送信し、前記処理部によって判断された、前記サービングセルの前記ブロードキャストチャネルに対応する前記サブキャリア間隔に基づいて前記サービングセルの中で前記サービングセルの前記ブロードキャストチャネルを送信し、前記ブロードキャストチャネルで運ばれる前記サービングセルのマスター情報ブロックがサブキャリア間隔指示情報を含み、前記サブキャリア間隔指示情報が前記サービングセルの前記サブキャリア間隔を前記UEに指示するために使用される、ようにさらに構成される、請求項33に記載のネットワークデバイス。
【請求項４１】
前記サービングセルの前記同期信号に対応するサイクリックプレフィックスと前記サービングセルの前記ブロードキャストチャネルに対応するサイクリックプレフィックスはいずれも、前記サービングセルのデータチャネルに対応するサイクリックプレフィックスよりも大きい、請求項38から40のいずれか一項に記載のネットワークデバイス。
【請求項４２】
前記サービングセルの前記システムパラメータは、サブフレーム長、サブフレームに含まれるシンボル数、およびサイクリックプレフィックス（CP）長のうちの1つ以上を含む、請求項33から41のいずれか一項に記載のネットワークデバイス。
【発明の詳細な説明】
【技術分野】
【０００１】
本願は通信技術に関し、具体的には、情報通信方法、ユーザー機器、およびネットワークデバイスに関する。
【背景技術】
【０００２】
5G通信システムは、様々なサービス、様々な配備シナリオ、および様々なスペクトルをサポートできる。前述したサービスは、例えばエンハンスト・モバイル・ブロードバンド（enhanced Mobile Broadband、eMBB）サービス、マシンタイプ通信（Machine Type Communication、MTC）サービス、超高信頼・低遅延通信（Ultra-reliable and low latency communications、URLLC）サービス、マルチメディア・ブロードキャスト・マルチキャスト・サービス（Multimedia Broadcast Multicast Service、MBMS）、または測位サービスであってよい。前述した配備シナリオは、例えば屋内ホットスポットシナリオ、密集都市シナリオ、郊外シナリオ、都市マクロカバレッジシナリオ、または高速鉄道シナリオであってよい。前述したスペクトルは、例えば100GHz内の周波数範囲であってよい。
【０００３】
5G通信システムにおけるネットワークデバイスのサービングセルは複数のシステムパラメータセットをサポートできるため、サービングセルは、様々なサービス、様々な配備シナリオ、および様々なスペクトルで様々なシステムパラメータ（numerology）を使用できる。それぞれのシステムパラメータセットは、サブフレーム長、サブフレームに含まれるシンボル数、サイクリックプレフィックス長などを含み得る。
【０００４】
ただし、サービングセルによって使用されるシステムパラメータをどのように判断するかは早急に解決する必要がある技術的問題である。
【発明の概要】
【課題を解決するための手段】
【０００５】
本願は、サービングセルによって使用されるシステムパラメータをどのように判断するかという先行技術の技術的問題を解決するため、情報通信方法、ユーザー機器、およびネットワークデバイスを提供する。
【０００６】
第1の態様によれば、本願は情報通信方法を提供し、方法は、
ユーザー機器（UE）により、サービングセルのサブキャリア間隔を判断するステップと、
UEにより、サービングセルのサブキャリア間隔に基づいてサービングセルのシステムパラメータを判断するステップと、
UEにより、サービングセルのシステムパラメータに基づいてサービングセルの中でネットワークデバイスへ情報を送信し、またはサービングセルのシステムパラメータに基づいてサービングセルの中でネットワークデバイスから情報を受信するステップと
を含み得る。
【０００７】
第1の態様で提供される情報通信方法に基づけば、サービングセルが様々なサービス、様々な配備シナリオ、および様々なスペクトルで様々なシステムパラメータを使用する場合に、UEはサービングセルによって現在使用されているサブキャリア間隔を用いてサービングセルによって現在使用されているシステムパラメータを判断できるため、UEはシステムパラメータを用いてサービングセルの中でネットワークデバイスと情報通信を遂行でき、これにより情報通信の効率が向上する。
【０００８】
任意に選べることとして、第1の態様の可能な一実装において、ユーザー機器（UE）により、サービングセルのサブキャリア間隔を判断するステップは、
UEにより、サービングセルに対応する周波数セットを判断するステップと、
UEにより、サービングセルに対応する周波数セットに基づいてサービングセルに対応するサブキャリア間隔セットを判断するステップと、
UEにより、サービングセルに対応するサブキャリア間隔セットに基づいてサービングセルのサブキャリア間隔を判断するステップと
を含む。
【０００９】
任意に選べることとして、第1の態様の可能な一実装において、ユーザー機器（UE）により、サービングセルのサブキャリア間隔を判断するステップは、
UEにより、サービングセルのキャリア周波数を判断するステップと、
UEにより、サービングセルのキャリア周波数に基づいてサービングセルに対応するサブキャリア間隔セットを判断するステップと、
UEにより、サービングセルに対応するサブキャリア間隔セットに基づいてサービングセルのサブキャリア間隔を判断するステップと
を含む。
【００１０】
前述した2つの可能な実装で提供される情報通信方法に基づけば、1つのサービングセルは1つのサブキャリア間隔セットに対応し得るため、サービングセルは様々なシナリオでサブキャリア間隔セットにある様々なサブキャリア間隔を使用でき、シナリオにより良くマッチしたサブキャリア間隔を使用することによって通信システムの性能は向上する。
【００１１】
さらに、第1の態様の可能な一実装において、UEにより、サービングセルのキャリア周波数に基づいてサービングセルに対応するサブキャリア間隔セットを判断するステップは、
サービングセルのキャリア周波数が6GHz以下である場合に、UEにより、サービングセルに対応するサブキャリア間隔セットがサブキャリア間隔15kHzおよびサブキャリア間隔30kHzを含むと判断するステップ、または
サービングセルのキャリア周波数が6GHzよりも大きく30GHz以下である場合に、UEにより、サービングセルに対応するサブキャリア間隔セットがサブキャリア間隔30kHzおよびサブキャリア間隔60kHzを含むと判断するステップ、または
サービングセルのキャリア周波数が30GHzよりも大きく100GHz以下である場合に、UEにより、サービングセルに対応するサブキャリア間隔セットがサブキャリア間隔120kHzおよびサブキャリア間隔240kHzを含むと判断するステップ
を含む。
【００１２】
さらに、第1の態様の可能な一実装において、UEにより、サービングセルのキャリア周波数に基づいてサービングセルに対応するサブキャリア間隔セットを判断するステップは、
サービングセルのキャリア周波数が3GHz以下である場合に、UEにより、サービングセルに対応するサブキャリア間隔セットがサブキャリア間隔15kHzおよびサブキャリア間隔17.5kHzを含むと判断するステップ、または
サービングセルのキャリア周波数が3GHzよりも大きく6GHz以下である場合に、UEにより、サービングセルに対応するサブキャリア間隔セットがサブキャリア間隔17.5kHzおよびサブキャリア間隔35kHzを含むと判断するステップ、または
サービングセルのキャリア周波数が6GHzよりも大きく30GHz以下である場合に、UEにより、サービングセルに対応するサブキャリア間隔セットがサブキャリア間隔35kHzおよびサブキャリア間隔70kHzを含むと判断するステップ、または
サービングセルのキャリア周波数が30GHzよりも大きく100GHz以下である場合に、UEにより、サービングセルに対応するサブキャリア間隔セットがサブキャリア間隔140kHzおよびサブキャリア間隔280kHzを含むと判断するステップ
を含む。
【００１３】
前述した2つの可能な実装で提供される情報通信方法に基づけば、それぞれのサブキャリア間隔セットの中のそれぞれのサブキャリア間隔はスペクトルに比較的良好にマッチできるため、通信システムの性能が保証され、それぞれのサブキャリア間隔セットの中のサブキャリア間隔数は十分に減らされる。
【００１４】
さらに、第1の態様の可能な一実装において、UEにより、サービングセルに対応するサブキャリア間隔セットに基づいてサービングセルのサブキャリア間隔を判断するステップは、
UEにより、サービングセルに対応するサブキャリア間隔セットに基づいてサービングセルの同期信号を検出するステップと、
UEにより、サービングセルの検出した同期信号に基づいてサービングセルのサブキャリア間隔を判断するステップと
を含む。
【００１５】
前述した可能な実装で提供される情報通信方法に基づけば、サービングセルに対応するサブキャリアセット内のサブキャリア数が2以下である場合は、UEによってサービングセルの同期信号を盲目的に検出する回数を減らすことができ、UEによってサービングセルの同期信号を検出する成功率を増すことができ、UEがサービングセルの同期信号を検出する時間を短縮できる。具体的に述べると、UEがサービングセルにアクセスする時間が短縮され、UEによってセルにアクセスする成功率が増すため、UEによってサービングセルのサブキャリア間隔を判断する成功率は増す。
【００１６】
さらに、第1の態様の可能な一実装において、UEにより、サービングセルに対応するサブキャリア間隔セットに基づいてサービングセルのサブキャリア間隔を判断するステップは、
UEにより、サービングセルに対応するサブキャリア間隔セットに基づいて、サービングセルの同期信号に対応するサブキャリア間隔およびサービングセルのブロードキャストチャネルに対応するサブキャリア間隔を判断するステップと、
UEにより、サービングセルの同期信号に対応するサブキャリア間隔に基づいてサービングセルの同期信号を検出し、サービングセルと同期するステップと、
UEにより、サービングセルのブロードキャストチャネルに対応するサブキャリア間隔に基づいてサービングセルのマスター情報ブロックを検出するステップであって、マスター情報ブロックがサブキャリア間隔指示情報を含み、サブキャリア間隔指示情報がサービングセルのサブキャリア間隔をUEに指示するために使用される、ステップと、
UEにより、サブキャリア間隔指示情報に基づいてサービングセルのサブキャリア間隔を判断するステップと
を含む。
【００１７】
前述した可能な実装で提供される情報通信方法に基づけば、UEは同期信号を盲目的に検出せずにサービングセルのサブキャリア間隔を判断できる。したがって、UEが同期信号を検出する時間は短縮される。具体的に述べると、UEがサービングセルと同期する時間が短縮され、UEがサービングセルにアクセスする時間が短縮され、UEによってサービングセルの同期信号を検出する成功率が増し、UEによってセルにアクセスする成功率が増すため、UEによってサービングセルのサブキャリア間隔を判断する成功率が増す。
【００１８】
任意に選べることとして、第1の態様の可能な一実装において、ユーザー機器（UE）により、サービングセルのサブキャリア間隔を判断するステップは、
UEにより、サービングセルの同期信号に対応するサブキャリア間隔およびサービングセルのブロードキャストチャネルに対応するサブキャリア間隔を判断するステップと、
UEにより、サービングセルの同期信号に対応するサブキャリア間隔に基づいてサービングセルの同期信号を検出し、サービングセルと同期するステップと、
UEにより、サービングセルのブロードキャストチャネルに対応するサブキャリア間隔に基づいてサービングセルのマスター情報ブロックを検出するステップであって、サービングセルのマスター情報ブロックがサブキャリア間隔指示情報を含み、サブキャリア間隔指示情報がサービングセルのサブキャリア間隔をUEに指示するために使用される、ステップと、
UEにより、サブキャリア間隔指示情報に基づいてサービングセルのサブキャリア間隔を判断するステップと
を含む。
【００１９】
前述した可能な実装で提供される情報通信方法に基づけば、サービングセルが全てのサービングセルに適応できるサブキャリア間隔を使用して同期信号およびブロードキャストチャネルを送信する場合に、UEは同期信号を盲目的に検出せずにサービングセルのサブキャリア間隔を判断できる。したがって、UEが同期信号を検出する時間は短縮される。具体的に述べると、UEがサービングセルと同期する時間が短縮され、UEがサービングセルにアクセスする時間が短縮され、UEによってサービングセルの同期信号を検出する成功率が増し、UEによってセルにアクセスする成功率が増すため、UEによってサービングセルのサブキャリア間隔を判断する成功率が増す。
【００２０】
第2の態様によれば、本願は情報通信方法を提供し、方法は、
ネットワークデバイスにより、サービングセルのサブキャリア間隔を判断するステップと、
ネットワークデバイスにより、サービングセルのサブキャリア間隔に基づいてサービングセルのシステムパラメータを判断するステップと、
ネットワークデバイスにより、サービングセルのシステムパラメータに基づいてサービングセルの中でユーザー機器（UE）へ情報を送信し、またはサービングセルのシステムパラメータに基づいてサービングセルの中でUEから情報を受信するステップと
を含み得る。
【００２１】
任意に選べることとして、第2の態様の可能な一実装において、ネットワークデバイスにより、サービングセルのサブキャリア間隔を判断するステップは、
ネットワークデバイスにより、サービングセルに対応する周波数セットを判断するステップと、
ネットワークデバイスにより、サービングセルに対応する周波数セットに基づいてサービングセルに対応するサブキャリア間隔セットを判断するステップと、
ネットワークデバイスにより、サービングセルに対応するサブキャリア間隔セットに基づいてサービングセルのサブキャリア間隔を判断するステップと
を含む。
【００２２】
第2の態様の可能な一実装において、ネットワークデバイスにより、サービングセルのサブキャリア間隔を判断するステップは、
ネットワークデバイスにより、サービングセルのキャリア周波数を判断するステップと、
ネットワークデバイスにより、サービングセルのキャリア周波数に基づいてサービングセルに対応するサブキャリア間隔セットを判断するステップと、
ネットワークデバイスにより、サービングセルに対応するサブキャリア間隔セットに基づいてサービングセルのサブキャリア間隔を判断するステップと
を含む。
【００２３】
さらに、第2の態様の可能な一実装において、ネットワークデバイスにより、サービングセルのキャリア周波数に基づいてサービングセルに対応するサブキャリア間隔セットを判断するステップは、
サービングセルのキャリア周波数が6GHz以下である場合に、ネットワークデバイスにより、サービングセルに対応するサブキャリア間隔セットがサブキャリア間隔15kHzおよびサブキャリア間隔30kHzを含むと判断するステップ、または
サービングセルのキャリア周波数が6GHzよりも大きく30GHz以下である場合に、ネットワークデバイスにより、サービングセルに対応するサブキャリア間隔セットがサブキャリア間隔30kHzおよびサブキャリア間隔60kHzを含むと判断するステップ、または
サービングセルのキャリア周波数が30GHzよりも大きく100GHz以下である場合に、ネットワークデバイスにより、サービングセルに対応するサブキャリア間隔セットがサブキャリア間隔120kHzおよびサブキャリア間隔240kHzを含むと判断するステップ
を含む。
【００２４】
さらに、第2の態様の可能な一実装において、ネットワークデバイスにより、サービングセルに対応するキャリア周波数に基づいてサービングセルに対応するサブキャリア間隔セットを判断するステップは、
サービングセルのキャリア周波数が3GHz以下である場合に、ネットワークデバイスにより、サービングセルに対応するサブキャリア間隔セットがサブキャリア間隔15kHzおよびサブキャリア間隔17.5kHzを含むと判断するステップ、または
サービングセルのキャリア周波数が3GHzよりも大きく6GHz以下である場合に、ネットワークデバイスにより、サービングセルに対応するサブキャリア間隔セットがサブキャリア間隔17.5kHzおよびサブキャリア間隔35kHzを含むと判断するステップ、または
サービングセルのキャリア周波数が6GHzよりも大きく30GHz以下である場合に、ネットワークデバイスにより、サービングセルに対応するサブキャリア間隔セットがサブキャリア間隔35kHzおよびサブキャリア間隔70kHzを含むと判断するステップ、または
サービングセルのキャリア周波数が30GHzよりも大きく100GHz以下である場合に、ネットワークデバイスにより、サービングセルに対応するサブキャリア間隔セットがサブキャリア間隔140kHzおよびサブキャリア間隔280kHzを含むと判断するステップ
を含む。
【００２５】
さらに、第2の態様の可能な一実装において、方法は、
ネットワークデバイスにより、サービングセルに対応するサブキャリア間隔セットに基づいて、サービングセルの同期信号に対応するサブキャリア間隔およびサービングセルのブロードキャストチャネルに対応するサブキャリア間隔を判断するステップと、
ネットワークデバイスにより、サービングセルの同期信号に対応するサブキャリア間隔に基づいてサービングセルの中でサービングセルの同期信号を送信し、サービングセルのブロードキャストチャネルに対応するサブキャリア間隔に基づいてサービングセルの中でサービングセルのブロードキャストチャネルを送信するステップであって、ブロードキャストチャネルで運ばれるサービングセルのマスター情報ブロックがサブキャリア間隔指示情報を含み、サブキャリア間隔指示情報がサービングセルのサブキャリア間隔をUEに指示するために使用される、ステップと
をさらに含む。
【００２６】
任意に選べることとして、第2の態様の可能な一実装において、方法は、
ネットワークデバイスにより、サービングセルの同期信号に対応するサブキャリア間隔およびサービングセルのブロードキャストチャネルに対応するサブキャリア間隔を判断するステップと、
ネットワークデバイスにより、サービングセルの同期信号に対応するサブキャリア間隔に基づいてサービングセルの中でサービングセルの同期信号を送信し、サービングセルのブロードキャストチャネルに対応するサブキャリア間隔に基づいてサービングセルの中でサービングセルのブロードキャストチャネルを送信するステップであって、ブロードキャストチャネルで運ばれるサービングセルのマスター情報ブロックがサブキャリア間隔指示情報を含み、サブキャリア間隔指示情報がサービングセルのサブキャリア間隔をUEに指示するために使用される、ステップと
をさらに含む。
【００２７】
第2の態様と第2の態様の全ての可能な実装で提供される情報通信方法の有益な効果については、第1の態様と第1の態様の全ての可能な実装によってもたらされる有益な効果を参照されたく、ここでは詳細を繰り返し説明しない。
【００２８】
第3の態様によれば、本願はユーザー機器（UE）を提供し、UEは、
サービングセルのサブキャリア間隔を判断し、サービングセルのサブキャリア間隔に基づいてサービングセルのシステムパラメータを判断するように構成された処理部と、
処理部によって判断されたサービングセルのシステムパラメータに基づいてサービングセルの中でネットワークデバイスへ情報を送信し、または処理部によって判断されたサービングセルのシステムパラメータに基づいてサービングセルの中でネットワークデバイスから情報を受信するように構成された送受信部と
を含む。
【００２９】
任意に選べることとして、第3の態様の可能な一実装において、処理部がサービングセルのサブキャリア間隔を判断するように構成されることは、
処理部が、サービングセルに対応する周波数セットを判断し、サービングセルに対応する周波数セットに基づいてサービングセルに対応するサブキャリア間隔セットを判断し、サービングセルに対応するサブキャリア間隔セットに基づいてサービングセルのサブキャリア間隔を判断するように構成されること
である。
【００３０】
任意に選べることとして、第3の態様の可能な一実装において、処理部がサービングセルのサブキャリア間隔を判断するように構成されることは、
処理部が、サービングセルのキャリア周波数を判断し、サービングセルのキャリア周波数に基づいてサービングセルに対応するサブキャリア間隔セットを判断し、サービングセルに対応するサブキャリア間隔セットに基づいてサービングセルのサブキャリア間隔を判断するように構成されること
である。
【００３１】
さらに、第3の態様の可能な一実装において、処理部がサービングセルのキャリア周波数に基づいてサービングセルに対応するサブキャリア間隔セットを判断するように構成されることは、
処理部が、
サービングセルのキャリア周波数が6GHz以下である場合に、サービングセルに対応するサブキャリア間隔セットがサブキャリア間隔15kHzおよびサブキャリア間隔30kHzを含むと判断し、または
サービングセルのキャリア周波数が6GHzよりも大きく30GHz以下である場合に、サービングセルに対応するサブキャリア間隔セットがサブキャリア間隔30kHzおよびサブキャリア間隔60kHzを含むと判断し、または
サービングセルのキャリア周波数が30GHzよりも大きく100GHz以下である場合に、サービングセルに対応するサブキャリア間隔セットがサブキャリア間隔120kHzおよびサブキャリア間隔240kHzを含むと判断するように構成されること
である。
【００３２】
さらに、第3の態様の可能な一実装において、処理部がサービングセルのキャリア周波数に基づいてサービングセルに対応するサブキャリア間隔セットを判断するように構成されることは、
処理部が、
サービングセルのキャリア周波数が3GHz以下である場合に、サービングセルに対応するサブキャリア間隔セットがサブキャリア間隔15kHzおよびサブキャリア間隔17.5kHzを含むと判断し、または
サービングセルのキャリア周波数が3GHzよりも大きく6GHz以下である場合に、サービングセルに対応するサブキャリア間隔セットがサブキャリア間隔17.5kHzおよびサブキャリア間隔35kHzを含むと判断し、または
サービングセルのキャリア周波数が6GHzよりも大きく30GHz以下である場合に、サービングセルに対応するサブキャリア間隔セットがサブキャリア間隔35kHzおよびサブキャリア間隔70kHzを含むと判断し、または
サービングセルのキャリア周波数が30GHzよりも大きく100GHz以下である場合に、サービングセルに対応するサブキャリア間隔セットがサブキャリア間隔140kHzおよびサブキャリア間隔280kHzを含むと判断するように構成されること
である。
【００３３】
さらに、第3の態様の可能な一実装において、処理部がサービングセルに対応するサブキャリア間隔セットに基づいてサービングセルのサブキャリア間隔を判断するように構成されることは、
処理部が、送受信部を用いて、サービングセルに対応するサブキャリア間隔セットに基づいてサービングセルの同期信号を検出し、検出したサービングセルの同期信号に基づいてサービングセルのサブキャリア間隔を判断するように構成されること
である。
【００３４】
さらに、第3の態様の可能な一実装において、処理部がサービングセルに対応するサブキャリア間隔セットに基づいてサービングセルのサブキャリア間隔を判断するように構成されることは、
処理部が、サービングセルに対応するサブキャリア間隔セットに基づいて、サービングセルの同期信号に対応するサブキャリア間隔およびサービングセルのブロードキャストチャネルに対応するサブキャリア間隔を判断し、
送受信部を用いて、サービングセルの同期信号に対応するサブキャリア間隔に基づいてサービングセルの同期信号を検出し、送受信部を用いて、サービングセルと同期し、
送受信部を用いて、サービングセルのブロードキャストチャネルに対応するサブキャリア間隔に基づいてサービングセルのマスター情報ブロックを検出し、マスター情報ブロックがサブキャリア間隔指示情報を含み、サブキャリア間隔指示情報がサービングセルのサブキャリア間隔をUEに指示するために使用され、
サブキャリア間隔指示情報に基づいてサービングセルのサブキャリア間隔を判断するように構成されること
である。
【００３５】
任意に選べることとして、第3の態様の可能な一実装において、処理部がサービングセルのサブキャリア間隔を判断するように構成されることは、
処理部が、サービングセルの同期信号に対応するサブキャリア間隔およびサービングセルのブロードキャストチャネルに対応するサブキャリア間隔を判断し、
送受信部を用いて、サービングセルの同期信号に対応するサブキャリア間隔に基づいてサービングセルの同期信号を検出し、送受信部を用いて、サービングセルと同期し、
送受信部を用いて、サービングセルのブロードキャストチャネルに対応するサブキャリア間隔に基づいてサービングセルのマスター情報ブロックを検出し、サービングセルのマスター情報ブロックがサブキャリア間隔指示情報を含み、サブキャリア間隔指示情報がサービングセルのサブキャリア間隔をUEに指示するために使用され、
サブキャリア間隔指示情報に基づいてサービングセルのサブキャリア間隔を判断するように構成されること
である。
【００３６】
第3の態様と第3の態様の全ての可能な実装で提供されるUEの有益な効果については、第1の態様と第1の態様の全ての可能な実装によってもたらされる有益な効果を参照されたく、ここでは詳細を繰り返し説明しない。
【００３７】
第4の態様によれば、本願はネットワークデバイスを提供し、ネットワークデバイスは、
サービングセルのサブキャリア間隔を判断し、サービングセルのサブキャリア間隔に基づいてサービングセルのシステムパラメータを判断するように構成された処理部と、
処理部によって判断されたサービングセルのシステムパラメータに基づいてサービングセルの中でユーザー機器（UE）へ情報を送信し、または処理部によって判断されたサービングセルのシステムパラメータに基づいてサービングセルの中でUEから情報を受信するように構成された送受信部と
を含む。
【００３８】
任意に選べることとして、第4の態様の可能な一実装において、処理部がサービングセルのサブキャリア間隔を判断するように構成されることは、
処理部がサービングセルに対応する周波数セットを判断し、サービングセルに対応する周波数セットに基づいてサービングセルに対応するサブキャリア間隔セットを判断し、サービングセルに対応するサブキャリア間隔セットに基づいてサービングセルのサブキャリア間隔を判断するように構成されること
である。
【００３９】
任意に選べることとして、第4の態様の可能な一実装において、処理部がサービングセルのサブキャリア間隔を判断するように構成されることは、
処理部が、サービングセルのキャリア周波数を判断し、サービングセルのキャリア周波数に基づいてサービングセルに対応するサブキャリア間隔セットを判断し、サービングセルに対応するサブキャリア間隔セットに基づいてサービングセルのサブキャリア間隔を判断するように構成されること
である。
【００４０】
さらに、第4の態様の可能な一実装において、処理部がサービングセルのキャリア周波数に基づいてサービングセルに対応するサブキャリア間隔セットを判断するように構成されることは、
処理部が、
サービングセルのキャリア周波数が6GHz以下である場合に、サービングセルに対応するサブキャリア間隔セットがサブキャリア間隔15kHzおよびサブキャリア間隔30kHzを含むと判断し、または
サービングセルのキャリア周波数が6GHzよりも大きく30GHz以下である場合に、サービングセルに対応するサブキャリア間隔セットがサブキャリア間隔30kHzおよびサブキャリア間隔60kHzを含むと判断し、または
サービングセルのキャリア周波数が30GHzよりも大きく100GHz以下である場合に、サービングセルに対応するサブキャリア間隔セットがサブキャリア間隔120kHzおよびサブキャリア間隔240kHzを含むと判断するように構成されること
である。
【００４１】
さらに、第4の態様の可能な一実装において、処理部がサービングセルのキャリア周波数に基づいてサービングセルに対応するサブキャリア間隔セットを判断するように構成されることは、
処理部が、
サービングセルのキャリア周波数が3GHz以下である場合に、サービングセルに対応するサブキャリア間隔セットがサブキャリア間隔15kHzおよびサブキャリア間隔17.5kHzを含むと判断し、または
サービングセルのキャリア周波数が3GHzよりも大きく6GHz以下である場合に、サービングセルに対応するサブキャリア間隔セットがサブキャリア間隔17.5kHzおよびサブキャリア間隔35kHzを含むと判断し、または
サービングセルのキャリア周波数が6GHzよりも大きく30GHz以下である場合に、サービングセルに対応するサブキャリア間隔セットがサブキャリア間隔35kHzおよびサブキャリア間隔70kHzを含むと判断し、または
サービングセルのキャリア周波数が30GHzよりも大きく100GHz以下である場合に、サービングセルに対応するサブキャリア間隔セットがサブキャリア間隔140kHzおよびサブキャリア間隔280kHzを含むと判断するように構成されること
である。
【００４２】
さらに、第4の態様の可能な一実装において、処理部は、サービングセルに対応するサブキャリア間隔セットに基づいて、サービングセルの同期信号に対応するサブキャリア間隔およびサービングセルのブロードキャストチャネルに対応するサブキャリア間隔を判断するようにさらに構成され、
送受信部は、処理部によって判断された、サービングセルの同期信号に対応するサブキャリア間隔に基づいてサービングセルの中でサービングセルの同期信号を送信し、処理部によって判断された、サービングセルのブロードキャストチャネルに対応するサブキャリア間隔に基づいてサービングセルの中でサービングセルのブロードキャストチャネルを送信し、ブロードキャストチャネルで運ばれるサービングセルのマスター情報ブロックがサブキャリア間隔指示情報を含み、サブキャリア間隔指示情報がサービングセルのサブキャリア間隔をUEに指示するために使用される、ようにさらに構成される。
任意に選べることとして、第4の態様の可能な一実装において、処理部は、サービングセルの同期信号に対応するサブキャリア間隔およびサービングセルのブロードキャストチャネルに対応するサブキャリア間隔を判断するようにさらに構成され、
送受信部は、処理部によって判断された、サービングセルの同期信号に対応するサブキャリア間隔に基づいてサービングセルの中でサービングセルの同期信号を送信し、処理部によって判断された、サービングセルのブロードキャストチャネルに対応するサブキャリア間隔に基づいてサービングセルの中でサービングセルのブロードキャストチャネルを送信し、ブロードキャストチャネルで運ばれるサービングセルのマスター情報ブロックがサブキャリア間隔指示情報を含み、サブキャリア間隔指示情報がサービングセルのサブキャリア間隔をUEに指示するために使用される、ようにさらに構成される。
【００４３】
第4の態様と第4の態様の全ての可能な実装で提供されるネットワークデバイスの有益な効果については、第1の態様と第1の態様の全ての可能な実装によってもたらされる有益な効果を参照されたく、ここでは詳細を繰り返し説明しない。
【００４４】
第1の態様と第1の態様の全ての可能な実装、第2の態様と第2の態様の全ての可能な実装、第3の態様と第3の態様の全ての可能な実装、ならびに第4の態様と第4の態様の全ての可能な実装を参照し、サービングセルの同期信号に対応するサブキャリア間隔とサービングセルのブロードキャストチャネルに対応するサブキャリア間隔は同一であり、サービングセルに対応するサブキャリア間隔セットの中で最も大きいサブキャリア間隔である。
【００４５】
第1の態様と第1の態様の全ての可能な実装、第2の態様と第2の態様の全ての可能な実装、第3の態様と第3の態様の全ての可能な実装、ならびに第4の態様と第4の態様の全ての可能な実装を参照し、サービングセルの同期信号に対応するサイクリックプレフィックスとサービングセルのブロードキャストチャネルに対応するサイクリックプレフィックスはいずれも、サービングセルのデータチャネルに対応するサイクリックプレフィックスよりも大きい。
【００４６】
可能な実装で提供される情報通信方法に基づけば、サービングセルの同期信号およびブロードキャストチャネルのカバレッジを拡張でき、サービングセルの同期信号およびブロードキャストチャネルのロバスト性を向上させることができる。
【００４７】
第1の態様と第1の態様の全ての可能な実装、第2の態様と第2の態様の全ての可能な実装、第3の態様と第3の態様の全ての可能な実装、ならびに第4の態様と第4の態様の全ての可能な実装を参照し、サービングセルのシステムパラメータは、サブフレーム長、サブフレームに含まれるシンボル数、およびサイクリックプレフィックス（CP）長のうちの1つ以上を含む。
【００４８】
本願で提供される情報通信方法、ユーザー機器、およびネットワークデバイスによれば、サービングセルが様々なサービス、様々な配備シナリオ、および様々なスペクトルで様々なシステムパラメータを使用する場合に、UEとネットワークデバイスはサービングセルによって現在使用されているサブキャリア間隔を用いてサービングセルによって現在使用されているシステムパラメータを判断できるため、UEとネットワークデバイスはシステムパラメータを用いてサービングセルの中で情報通信を遂行でき、そのため情報通信の効率が向上する。
【図面の簡単な説明】
【００４９】
【図１】本願による情報通信方法の概略流れ図である。
【図２】本願による別の情報通信方法の概略流れ図である。
【図３】本願によるさらに別の情報通信方法の概略流れ図である。
【図４】本願によるさらに別の情報通信方法の概略流れ図である。
【図５】本願によるさらに別の情報通信方法の概略流れ図である。
【図６】本願によるさらに別の情報通信方法の概略流れ図である。
【図７】本願によるさらに別の情報通信方法の概略流れ図である。
【図８】本願によるさらに別の情報通信方法の概略流れ図である。
【図９】本願によるさらに別の情報通信方法の概略流れ図である。
【図１０】本願によるユーザー機器の概略構造図である。
【図１１】本願によるネットワークデバイスの概略構造図である。
【発明を実施するための形態】
【００５０】
本願で述べるユーザー機器（UE）は携帯電話機やタブレットコンピュータといった無線端末であってよい。無線端末はユーザーに音声サービスおよび／またはデータサービスを提供するデバイスを含む。任意に選べることとして、デバイスは無線接続機能を有する手持ち型デバイスであってよく、あるいは無線モデムへ接続される別の処理デバイスであってもよい。加えて、無線端末は無線アクセスネットワーク（RAN、Radio Access Network）を通じて1つ以上のコアネットワークと通信できる。例えば、無線端末は携帯電話機（「セルラー」フォンとも呼ばれる）などのモバイル端末であってよく、あるいはモバイル端末を有するコンピュータであってもよい。モバイル端末を有するコンピュータは、ポータブル、ポケットサイズ、手持ち型、またはコンピュータ内蔵モバイル装置であってよく、あるいはコアネットワークと音声および／またはデータを交換できる車内モバイル装置であってよい。例えば、無線端末は、パーソナル通信サービス（PCS、Personal Communications Service）電話機、コードレス電話機、セッション開始プロトコル（SIP）電話機、無線ローカルループ（Wireless Local Loop、WLL）、またはパーソナル・デジタル・アシスタント（Personal Digital Assistant、PDA）を含むことができる。無線端末は、システム、サブスクライバユニット（Subscriber Unit）、サブスクライバステーション（Subscriber Station）、モバイルステーション（Mobile Station）、モバイルステーション（Mobile）、リモートステーション（Remote Station）、アクセスポイント（Access Point）、リモート端末（Remote Terminal）、アクセス端末（Access Terminal）、ユーザー端末（User Terminal）、ユーザーエージェント（User Agent）、ユーザーデバイス（User Device）、またはユーザー機器（User Equipment）と呼ばれることもある。本願のユーザー機器はV2X（Vehicle to X）通信の乗り物などであってもよい。
【００５１】
本願で述べるネットワークデバイスはセルラー通信ネットワークの中の何らかのデバイスであってよく、例えば基地局（アクセスポイントなど）であってよく、基地局はアクセスネットワークの中にあって1つ以上のセクターを使用してエアインターフェースを介して無線端末と通信するデバイスであってよい。基地局は、受信した無線フレームをIPパケットに変換し、受信したIPパケットを無線フレームに変換し、無線端末とアクセスネットワークの残りの部分との間でルーターとして機能するように構成されてよい。アクセスネットワークの残りの部分はインターネットプロトコル（IP）ネットワークを含み得る。基地局はさらに、エアインターフェース上で属性管理を調整してよい。例えば、基地局は、GSM（登録商標）またはCDMAのベース・トランシーバ・ステーション（BTS、Base Transceiver Station）、WCDMA（登録商標）のノードB（NodeB）、またはLTEのエボルブドノードB（NodeB、eNB、またはe-NodeB、evolutional Node B）であってよい。これは本願において限定されない。本願のネットワークデバイスは、本願のユーザー機器に類似するD2D（Device to Device）通信の端末デバイスであってよく、あるいはV2X（Vehicle to X）通信の乗り物などであってもよい。
【００５２】
本願で提供される情報通信方法は、5G通信システムのユーザー機器およびネットワークデバイス、ロング・ターム・エボリューション（Long Term Evolution、LTE）通信システム、ならびにLTE通信システムのユーザー機器およびネットワークデバイスに応用できる。ここで説明するネットワークデバイスは少なくとも1つのサービングセルを含み得る。当然ながら、本願の情報通信方法は前述した応用シナリオを含み、ただしそれらに限定されない。本願で提供される情報通信方法は、サービングセルが複数のシステムパラメータセットをサポートするシナリオで使用できる。
【００５３】
本願で提供される情報通信方法は、サービングセルによって使用されるシステムパラメータをどのように判断するかという先行技術の技術的問題を解決することを目指す。
【００５４】
図1は本願による情報通信方法の概略流れ図である。本実施形態は、UEがサービングセルのサブキャリア間隔に基づいてサービングセルのシステムパラメータを判断するプロセスに関する。図1に示されているように、方法は下記ステップを含む。
【００５５】
S101．UEは、サービングセルのサブキャリア間隔を判断する。
【００５６】
具体的に述べると、UEは、サービングセル（serving cell）のサブキャリア間隔を、具体的にはユーザー機器に対応するサービングセルのサブキャリア間隔を、判断できる。ここでユーザー機器に対応するサービングセルは、UEのためにネットワークデバイスによって構成されるサービングセルであってよく、あるいはUEに対処しているサービングセルであってよく、あるいはUEによってアクセスされているサービングセルであってよい。前述したサービングセルは、UEの一次サービングセル（Primary serving cell）であってよく、あるいはUEの二次サービングセル（Secondary serving cell）であってよい。本願の一実装において、前述したサービングセル（serving cell）はキャリア（carrier）と呼ばれることもある。具体的に述べると、1つのサービングセルは1つのキャリアである。
【００５７】
任意に選べることとして、UEは、サービングセルのキャリア周波数に基づいて、またはサービングセルに対応する周波数セットに基づいて、サービングセルのサブキャリア間隔を判断できる。これ以降はUEがサービングセルのサブキャリア間隔を判断する一実装を詳しく説明する。
【００５８】
加えて、UEは既存の方式でサービングセルのサブキャリア間隔を判断してもよく、本願で詳細は説明しない。
【００５９】
S102．UEは、サービングセルのサブキャリア間隔に基づいてサービングセルのシステムパラメータを判断する。
【００６０】
具体的に述べると、UEは、サービングセルのサブキャリア間隔と、サブキャリア間隔とシステムパラメータとの所定の対応関係とに基づいて、サービングセルのシステムパラメータを判断でき、あるいはサービングセルのサブキャリア間隔に基づいてシステムパラメータを計算でき、計算したシステムパラメータをサービングセルのシステムパラメータとして使用できる。当然ながら、UEは既存の方式でサービングセルのサブキャリア間隔に基づいてサービングセルのシステムパラメータを判断してもよく、本願で詳細は説明しない。サービングセルのシステムパラメータは、サブフレーム長、サブフレームに含まれるシンボル数、有効シンボル長、およびサイクリックプレフィックス（Cyclic Prefix、CP）長などのパラメータのうちの1つ以上を含み得る。
【００６１】
UEが、サービングセルのサブキャリア間隔と、サブキャリア間隔とシステムパラメータとの所定の対応関係とに基づいて、サービングセルのシステムパラメータを判断する一例を用いる。特定の実装において、UEは、サービングセルのサブキャリア間隔を判断した後に、サブキャリア間隔に基づいて、所定の対応関係にて、サブキャリア間隔に対応するシステムパラメータを検索でき、見つかったシステムパラメータはサービングセルのシステムパラメータである。所定の対応関係はユーザー要件に基づいて設定されてよい。例えば、下の表1および表2に所定の連関を示すことができる。なお、表1および表2の値は一例に過ぎず、丸められた値であってよい。例えば、本実施形態における有効シンボル長とCP長は表の値に近くてよい。加えて、表内のパラメータの相互依存関係は限定されない。
【００６２】
【表１】
2019511174.tif 000003
【００６３】
【表２】
2019511174.tif 000004
【００６４】
例えば、表1に示されているように、サブキャリア間隔が15kHzならUEのシステムパラメータはシステムパラメータ1であり得る。システムパラメータ1は、サブフレーム長1ms、シンボル数12または14、有効シンボル長66.67μs、CP長4.76μsまたは16.67μs、およびCPオーバーヘッド6.7％以下を含む。
【００６５】
なお、表1に示されたシステムパラメータに対応するサブキャリア間隔は15kHzの倍数であるため、これらのシステムパラメータとサブキャリア間隔は一部の既存LTEシステムにマッチし得る。表2に示されたシステムパラメータ5はサブキャリア間隔17.5kHzに対応するため、システムパラメータとサブキャリア間隔は比較的短い伝送時間間隔（Transmission Time Interval、TTI）を、例えば0.125msのTTIを、サポートできる。GPオーバーヘッドは異なるTTIで一定であり得る。
【００６６】
S103．UEは、サービングセルのシステムパラメータに基づいてサービングセルの中でネットワークデバイスへ情報を送信し、またはサービングセルのシステムパラメータに基づいてサービングセルの中でネットワークデバイスから情報を受信する。
【００６７】
具体的に述べると、UEは、サービングセルのシステムパラメータを得た後に、システムパラメータを用いてサービングセルの中でネットワークデバイスと情報通信を遂行できる。例えば、UEはサービングセルのシステムパラメータに基づいてサービングセルの中でネットワークデバイスへ情報を送信でき、この情報は、例えばアップリンクデータまたはアップリンク制御情報であってよい。UEはサービングセルのシステムパラメータに基づいてサービングセルの中でネットワークデバイスから情報をさらに受信でき、この情報は、例えばダウンリンクデータ、ダウンリンク制御情報、またはダウンリンク基準信号であってよい。
【００６８】
本願で提供される情報通信方法に基づけば、サービングセルが様々なサービス、様々な配備シナリオ、および様々なスペクトルで様々なシステムパラメータを使用する場合に、UEはサービングセルによって現在使用されているサブキャリア間隔を用いてサービングセルによって現在使用されているシステムパラメータを判断できるため、UEはシステムパラメータを用いてサービングセルの中でネットワークデバイスと情報通信を遂行でき、これにより情報通信の効率が向上する。
【００６９】
さらに、前述した実施形態に基づき、本実施形態は、UEがサービングセルのサブキャリア間隔を判断するプロセスに関する。この場合、S101は以下に記す3つの実装を含み得る。
【００７０】
第1の実装において、UEは、サービングセルに対応する周波数セットに基づいてサービングセルのサブキャリア間隔を判断する。図2は本願による別の情報通信方法の概略流れ図である。図2に示されているように、方法は下記ステップを含み得る。
【００７１】
S201．UEは、サービングセルに対応する周波数セットを判断する。
【００７２】
具体的に述べると、UEは、サービングセルのキャリア周波数に基づいてサービングセルの周波数セットを判断できる。例えば、UEは、サービングセルのキャリア周波数を含む周波数セットがサービングセルに対応する周波数セットであると判断できる。あるいは、UEは、サービングセルと周波数セットとの所定の対応関係に基づいてサービングセルに対応する周波数セットを判断できる。例えば、UEは、サービングセルの識別子と、サービングセル識別子と周波数セットとの所定の対応関係とに基づいて、サービングセルに対応する周波数セットを判断できる。
【００７３】
S202．UEは、サービングセルに対応する周波数セットに基づいてサービングセルに対応するサブキャリア間隔セットを判断する。
【００７４】
具体的に述べると、UEは、サービングセルに対応する周波数セットに基づいて、周波数セットとサブキャリア間隔セットとの所定の対応関係にて、サービングセルに対応する周波数セットに関連するサブキャリア間隔セットを検索でき、このサブキャリア間隔セットはサービングセルに対応するサブキャリア間隔セットである。あるいは、UEは、サービングセルに対応する周波数セットに基づいてサブキャリア間隔セットを計算でき、計算したサブキャリア間隔セットをサービングセルに対応するサブキャリア間隔セットとして使用できる。
【００７５】
UEが、サービングセルに対応する周波数セットと、周波数セットとサブキャリア間隔セットとの所定の対応関係とに基づいて、サービングセルに対応するサブキャリア間隔セットを判断する場合、周波数セットとサブキャリア間隔セットとの所定の対応関係はX個のサブキャリア間隔セットを含み得る。X個のサブキャリア間隔セットのうちのいずれか1つは少なくとも1つのサブキャリア間隔を含み得、これはサービングセルに対応するサービスに基づいて判断されてよい。Xは1以上の正の整数であってよく、Xの具体的値はユーザー要件に基づいて決定されてよい。なお、X個のサブキャリア間隔セット内の第1のサブキャリア間隔セットは、X個のサブキャリア間隔セット内の第2のサブキャリア間隔セットに属さない少なくとも1つのサブキャリア間隔を含む。ここで説明する第1のサブキャリア間隔セットはX個のサブキャリア間隔セットのうちのいずれか1つであり、ここで説明する第2のサブキャリア間隔セットは第1のサブキャリア間隔セットを除いたX個のサブキャリア間隔セットのうちのいずれか1つである。任意に選べることとして、周波数セットとサブキャリア間隔セットとの所定の対応関係はX個の周波数セットをさらに含み得る。X個の周波数セットとX個のサブキャリア間隔セットは1対1の対応関係にあってよい。具体的に述べると、それぞれの周波数セットは1つのサブキャリア間隔セットに対応する。X個の周波数セットは通信システムによってサポートされるスペクトル範囲に対応し得る。
【００７６】
任意に選べることとして、周波数セットとサブキャリア間隔セットとの所定の対応関係は例えば表3に示すとおりであってよい。
【００７７】
【表３】
2019511174.tif 000005
【００７８】
表3に示された対応関係において、S202は次のとおりであってよい。
【００７９】
サービングセルに対応する周波数セットに含まれる各周波数が6GHz以下なら、UEはサービングセルに対応するサブキャリア間隔セットがサブキャリア間隔15kHzおよびサブキャリア間隔30kHzを含むと判断する。
【００８０】
あるいは、サービングセルに対応する周波数セットに含まれる各周波数が6GHzよりも大きく30GHz以下なら、UEはサービングセルに対応するサブキャリア間隔セットがサブキャリア間隔30kHzおよびサブキャリア間隔60kHzを含むと判断する。
【００８１】
あるいは、サービングセルに対応する周波数セットに含まれる各周波数が30GHzよりも大きく100GHz以下なら、UEはサービングセルに対応するサブキャリア間隔セットがサブキャリア間隔120kHzおよびサブキャリア間隔240kHzを含むと判断する。
【００８２】
任意に選べることとして、周波数セットとサブキャリア間隔セットとの所定の対応関係は例えば表4に示すとおりであってよい。
【００８３】
【表４】
2019511174.tif 000006
【００８４】
表4に示された対応関係において、S202は次のとおりであってよい。
【００８５】
サービングセルに対応する周波数セットに含まれる各周波数が3GHz以下なら、UEはサービングセルに対応するサブキャリア間隔セットがサブキャリア間隔15kHzおよびサブキャリア間隔17.5kHzを含むと判断する。
【００８６】
あるいは、サービングセルに対応する周波数セットに含まれる各周波数が3GHzよりも大きく6GHz以下なら、UEはサービングセルに対応するサブキャリア間隔セットがサブキャリア間隔17.5kHzおよびサブキャリア間隔35kHzを含むと判断する。
【００８７】
あるいは、サービングセルに対応する周波数セットに含まれる各周波数が6GHzよりも大きく30GHz以下なら、UEはサービングセルに対応するサブキャリア間隔セットがサブキャリア間隔35kHzおよびサブキャリア間隔70kHzを含むと判断する。
【００８８】
あるいは、サービングセルに対応する周波数セットに含まれる各周波数が30GHzよりも大きく100GHz以下なら、UEはサービングセルに対応するサブキャリア間隔セットがサブキャリア間隔140kHzおよびサブキャリア間隔280kHzを含むと判断する。
【００８９】
任意に選べることとして、周波数セットとサブキャリア間隔セットとの所定の対応関係は例えば表5に示すとおりであってよい。
【００９０】
【表５】
2019511174.tif 000007
【００９１】
表5に示された対応関係において、S202は次のとおりであってよい。
【００９２】
サービングセルに対応する周波数セットに含まれる各周波数が6GHz以下なら、UEはサービングセルに対応するサブキャリア間隔セットがサブキャリア間隔15kHzおよびサブキャリア間隔30kHzを含むと判断する。
【００９３】
あるいは、サービングセルに対応する周波数セットに含まれる各周波数が6GHzよりも大きく30GHz以下なら、UEはサービングセルに対応するサブキャリア間隔セットがサブキャリア間隔60kHzおよびサブキャリア間隔120kHzを含むと判断する。
【００９４】
あるいは、サービングセルに対応する周波数セットに含まれる各周波数が30GHzよりも大きく100GHz以下なら、UEはサービングセルに対応するサブキャリア間隔セットがサブキャリア間隔240kHzおよびサブキャリア間隔480kHzを含むと判断する。
【００９５】
任意に選べることとして、周波数セットとサブキャリア間隔セットとの所定の対応関係は例えば表6に示すとおりであってよい。
【００９６】
【表６】
2019511174.tif 000008
【００９７】
表6に示された対応関係において、S202は次のとおりであってよい。
【００９８】
サービングセルに対応する周波数セットに含まれる各周波数が3GHz以下なら、UEはサービングセルに対応するサブキャリア間隔セットがサブキャリア間隔15kHzおよびサブキャリア間隔17.5kHzを含むと判断する。
【００９９】
あるいは、サービングセルに対応する周波数セットに含まれる各周波数が3GHzよりも大きく6GHz以下なら、UEはサービングセルに対応するサブキャリア間隔セットがサブキャリア間隔17.5kHzおよびサブキャリア間隔35kHzを含むと判断する。
【０１００】
あるいは、サービングセルに対応する周波数セットに含まれる各周波数が6GHzよりも大きく30GHz以下なら、UEはサービングセルに対応するサブキャリア間隔セットがサブキャリア間隔70kHzおよびサブキャリア間隔140kHzを含むと判断する。
【０１０１】
あるいは、サービングセルに対応する周波数セットに含まれる各周波数が30GHzよりも大きく100GHz以下なら、UEはサービングセルに対応するサブキャリア間隔セットがサブキャリア間隔280kHzおよびサブキャリア間隔560kHzを含むと判断する。
【０１０２】
任意に選べることとして、周波数セットとサブキャリア間隔セットとの所定の対応関係は例えば表7に示すとおりであってよい。
【０１０３】
【表７】
2019511174.tif 000009
【０１０４】
表7に示された対応関係において、S202は次のとおりであってよい。
【０１０５】
サービングセルに対応する周波数セットに含まれる各周波数が6GHz以下なら、UEはサービングセルに対応するサブキャリア間隔セットがサブキャリア間隔15kHzおよびサブキャリア間隔30kHzを含むと判断する。
【０１０６】
あるいは、サービングセルに対応する周波数セットに含まれる各周波数が6GHzよりも大きく40GHz以下なら、UEはサービングセルに対応するサブキャリア間隔セットがサブキャリア間隔30kHzおよびサブキャリア間隔60kHzを含むと判断する。
【０１０７】
あるいは、サービングセルに対応する周波数セットに含まれる各周波数が40GHzよりも大きく80GHz以下なら、UEはサービングセルに対応するサブキャリア間隔セットがサブキャリア間隔60kHzおよびサブキャリア間隔120kHzを含むと判断する。
【０１０８】
あるいは、サービングセルに対応する周波数セットに含まれる各周波数が80GHzよりも大きいなら、UEはサービングセルに対応するサブキャリア間隔セットがサブキャリア間隔120kHzおよびサブキャリア間隔240kHzを含むと判断する。
【０１０９】
任意に選べることとして、周波数セットとサブキャリア間隔セットとの所定の対応関係は例えば表8に示すとおりであってよい。
【０１１０】
【表８】
2019511174.tif 000010
【０１１１】
表8に示された対応関係において、S202は次のとおりであってよい。
【０１１２】
サービングセルに対応する周波数セットに含まれる各周波数が3GHz以下なら、UEはサービングセルに対応するサブキャリア間隔セットがサブキャリア間隔15kHzおよびサブキャリア間隔17.5kHzを含むと判断する。
【０１１３】
あるいは、サービングセルに対応する周波数セットに含まれる各周波数が3GHzよりも大きく6GHz以下なら、UEはサービングセルに対応するサブキャリア間隔セットがサブキャリア間隔17.5kHzおよびサブキャリア間隔35kHzを含むと判断する。
【０１１４】
あるいは、サービングセルに対応する周波数セットに含まれる各周波数が6GHzよりも大きく40GHz以下なら、UEはサービングセルに対応するサブキャリア間隔セットがサブキャリア間隔35kHzおよびサブキャリア間隔70kHzを含むと判断する。
【０１１５】
あるいは、サービングセルに対応する周波数セットに含まれる各周波数が40GHzよりも大きく80GHz以下なら、UEはサービングセルに対応するサブキャリア間隔セットがサブキャリア間隔70kHzおよびサブキャリア間隔140kHzを含むと判断する。
【０１１６】
あるいは、サービングセルに対応する周波数セットに含まれる各周波数が80GHzよりも大きいなら、UEはサービングセルに対応するサブキャリア間隔セットがサブキャリア間隔280kHzおよびサブキャリア間隔560kHzを含むと判断する。
【０１１７】
本実施形態において、サービングセルは1つのサブキャリア間隔セットに対応し得、サブキャリア間隔セットは様々なサブキャリア間隔を含み得るため、サービングセルは様々なシナリオで様々なサブキャリア間隔を使用でき、シナリオにより良くマッチしたサブキャリア間隔を使用することによって通信システムの性能は向上する。例えば、大きい遅延拡散のシナリオではサブキャリア間隔セットの中で比較的小さいサブキャリア間隔を使用できる。高速シナリオではサブキャリア間隔セットの中で比較的大きいサブキャリア間隔を使用できる。サービングセルに対応する周波数セットに含まれる各周波数が6GHz以下の場合に、サービングセルに対応するサブキャリア間隔セットがサブキャリア間隔15kHzおよびサブキャリア間隔30kHzを含む一例を用いる。この場合、大きい遅延拡散のシナリオでは、例えば遅延拡散が約5μsまでのシナリオでは、サブキャリア間隔15kHzを使用できる。高速シナリオでは、例えば500km/hまでの高速シナリオでは、サブキャリア間隔30kHzを使用できる。
【０１１８】
本実施形態において、表3から表8に列挙された周波数セットとサブキャリア間隔セットとの対応関係は、それぞれのサブキャリア間隔セットの中のそれぞれのサブキャリア間隔がスペクトルに比較的良好にマッチすることを可能にするため、通信システムの性能が保証され、それぞれのサブキャリア間隔セットの中のサブキャリア間隔数は十分に減らされる。スペクトルは異なる周波数からなるセットを含み得る。なお、表3から表8に示されたサブキャリア間隔セットは、同一サービスのシナリオに、例えばeMBBサービスのみのシナリオに、適用できる。サービングセルが複数のサービスを、例えばeMBBサービスとMTCサービスを、同時にサポートする場合は、サポートされるサービスのタイプに基づいてサブキャリア間隔セットの中のサブキャリア間隔の数を適切に増やすことができ、サービスのタイプとユーザー要件に基づいて決定できる。
【０１１９】
S203．UEは、サービングセルに対応するサブキャリア間隔セットに基づいてサービングセルのサブキャリア間隔を判断する。
【０１２０】
本願の一実装において、UEは、サービングセルに対応するサブキャリア間隔セットに基づいてサービングセルの同期信号を検出でき、検出したサービングセルの同期信号に基づいてサービングセルのサブキャリア間隔を判断できる。例えば、UEは、サービングセルに対応するサブキャリア間隔セットに基づいてサービングセルの同期信号を盲目的に検出することによってサービングセルのサブキャリア間隔を判断できる。特定の実装において、UEは、サービングセルに対応するサブキャリア間隔セットの中の各サブキャリア間隔に対応するエネルギーを検出できる。エネルギーが最も大きいサブキャリア間隔はサービングセルの同期信号に対応するサブキャリア間隔であり、同期信号に対応するサブキャリア間隔はサービングセルのサブキャリア間隔である。なお、UEによるサブキャリア間隔に対応するエネルギーの検出の詳細については、先行技術を参照されたく、本願では詳細を説明しない。
【０１２１】
サービングセルのサブキャリア間隔がこのように判断される場合、サービングセルに対応するサブキャリア間隔セットは1つまたは2つのサブキャリア間隔を含み得る（例えば表3から表8に示されたサブキャリアセットを含み得る）。したがって、UEによってサービングセルの同期信号を盲目的に検出する回数は減り、UEによってサービングセルの同期信号を検出する成功率は増し、UEがサービングセルの同期信号を検出する時間は短縮される。具体的に述べると、UEがサービングセルにアクセスする時間が短縮され、UEによってセルにアクセスする成功率が増すため、UEによってサービングセルのサブキャリア間隔を判断する成功率は増す。本願におけるサービングセルの同期信号は、サービングセルの一次同期信号PSSおよび二次同期信号SSSのうちの1つ以上を含み得る。
【０１２２】
本願の別の実装において、UEはまず、サービングセルに対応するサブキャリア間隔セットに基づいて、サービングセルの同期信号に対応するサブキャリア間隔およびサービングセルのブロードキャストチャネルに対応するサブキャリア間隔を判断でき（ここで説明するブロードキャストチャネルはマスター情報ブロック（Master Information Block、MIB）を伝送するチャネルであってよい）、サービングセルの同期信号に対応する判断したサブキャリア間隔に基づいてサービングセルの同期信号を検出し、サービングセルと同期し、その後サービングセルのブロードキャストチャネルに対応する判断したサブキャリア間隔に基づいてサービングセルのマスター情報ブロックを検出する。マスター情報ブロックはサブキャリア間隔指示情報を含んでよく、サブキャリア間隔指示情報はUEにサービングセルのサブキャリア間隔を指示でき、UEはサブキャリア間隔指示情報に基づいてサービングセルのサブキャリア間隔を判断できる。サブキャリア間隔を指示する具体的実装は本願で限定されない。例えば、サブキャリア間隔を指示するため、マスター情報ブロックの2ビットが使用されてよい。異なるビット値は異なるサブキャリア間隔に対応してよく、UEはビット値に基づいてサービングセルのサブキャリア間隔を判断してよい。
【０１２３】
なお、UEがサービングセルの同期信号を検出し、サービングセルと同期し、サービングセルのマスター情報ブロックを検出する具体的実装については、先行技術を参照されたく、本願では詳細を説明しない。
【０１２４】
サービングセルのサブキャリア間隔がこのように判断される場合、サービングセルの同期信号に対応するサブキャリア間隔とサービングセルのブロードキャストチャネルに対応するサブキャリア間隔は、サービングセルに対応するサブキャリア間隔セットの中のサブキャリア間隔であってよい。任意に選べることとして、サービングセルのサブキャリア間隔は、サービングセルの同期信号に対応するサブキャリア間隔およびサービングセルのブロードキャストチャネルに対応するサブキャリア間隔と同一であってよく、または異なってよい。本願の別の実装において、サービングセルに対応するサブキャリア間隔セットの中の各サブキャリア間隔につき、サービングセルの同期信号に対応するサブキャリア間隔とサービングセルのブロードキャストチャネルに対応するサブキャリア間隔は変わらないままであってよい。例えば、サービングセルの同期信号に対応するサブキャリア間隔とサービングセルのブロードキャストチャネルに対応するサブキャリア間隔は同一であってよく、サービングセルに対応するサブキャリア間隔セットの中で最も大きいサブキャリア間隔である。例えば、サブキャリア間隔セットがサブキャリア間隔15kHzおよびサブキャリア間隔30kHzを含む場合、サービングセルの同期信号に対応するサブキャリア間隔とサービングセルのブロードキャストチャネルに対応するサブキャリア間隔はいずれも30kHzであってよい。この場合、サービングセルに対応するサブキャリア間隔セットの中の異なるサブキャリア間隔について、同期チャネルとブロードキャストチャネルはいずれも同一のサブキャリア間隔を使用して送信されるため、UEは同期信号を盲目的に検出せずにサービングセルのサブキャリア間隔を判断できる。したがって、UEが同期信号を検出する時間は短縮される。具体的に述べると、UEがサービングセルと同期する時間が短縮され、UEがサービングセルにアクセスする時間が短縮され、UEによってサービングセルの同期信号を検出する成功率が増し、UEによってセルにアクセスする成功率が増すため、UEによってサービングセルのサブキャリア間隔を判断する成功率が増す。
【０１２５】
さらに、サービングセルの同期信号に対応するサイクリックプレフィックスとサービングセルのブロードキャストチャネルに対応するサイクリックプレフィックスは、サービングセルのデータチャネルに対応するサイクリックプレフィックスよりも大きくてよい。例えば、サービングセルのデータチャネルに対応するサイクリックプレフィックスが約2.38μsまたは4.76μsである場合、サービングセルの同期信号に対応するサイクリックプレフィックスとサービングセルのブロードキャストチャネルに対応するサイクリックプレフィックスはいずれも5.13μsであってよい。ここで、サービングセルの同期信号に対応するサイクリックプレフィックスとサービングセルのブロードキャストチャネルに対応するサイクリックプレフィックスは、同期信号を伝送するためのシンボルに対応するサイクリックプレフィックスとブロードキャストチャネルを伝送するためのシンボルに対応するサイクリックプレフィックスであってよく、データチャネルに対応するサイクリックプレフィックスは、データを伝送するためのシンボルに対応するサイクリックプレフィックスであってよい。このように、サービングセルの同期信号およびブロードキャストチャネルのカバレッジを拡張でき、サービングセルの同期信号およびブロードキャストチャネルのロバスト性を向上させることができる。
【０１２６】
第2の実装において、UEは、サービングセルのキャリア周波数に基づいてサービングセルのサブキャリア間隔を判断する。図3は本願によるさらに別の情報通信方法の概略流れ図である。図3に示されているように、方法は下記ステップを含み得る。
【０１２７】
S301．UEは、サービングセルのキャリア周波数を判断する。
【０１２８】
具体的に述べると、UEは、スイーピングによってサービングセルのキャリア周波数を得ることができ、またはサービングセルの所定のキャリア周波数に基づいてサービングセルのキャリア周波数を得ることができる。
【０１２９】
S302．UEは、サービングセルのキャリア周波数に基づいてサービングセルに対応するサブキャリア間隔セットを判断する。
【０１３０】
具体的に述べると、UEは、サービングセルのキャリア周波数に基づいて、キャリア周波数とサブキャリア間隔セットとの所定の対応関係にて、サービングセルのキャリア周波数に対応するサブキャリア間隔セットを検索でき、このサブキャリア間隔セットはサービングセルに対応するサブキャリア間隔セットである。あるいは、UEはサービングセルのキャリア周波数に基づいてサブキャリア間隔セットを計算でき、計算したサブキャリア間隔セットをサービングセルに対応するサブキャリア間隔セットとして使用できる。
【０１３１】
UEが、サービングセルのキャリア周波数と、キャリア周波数とサブキャリア間隔セットとの所定の対応関係とに基づいて、サービングセルに対応するサブキャリア間隔セットを判断する場合、キャリア周波数とサブキャリア間隔セットとの所定の対応関係はX個のサブキャリア間隔セットを含み得る。X個のサブキャリア間隔セットの具体的説明についてはS202におけるX個のサブキャリア間隔セットの説明を参照されたく、本実施形態では詳細を繰り返し説明しない。
【０１３２】
任意に選べることとして、キャリア周波数とサブキャリア間隔セットとの所定の対応関係は例えば表9に示すとおりであってよい。
【０１３３】
【表９】
2019511174.tif 000011
【０１３４】
表9に示された対応関係において、S302は次のとおりであってよい。
【０１３５】
サービングセルのキャリア周波数が6GHz以下なら、UEはサービングセルに対応するサブキャリア間隔セットがサブキャリア間隔15kHzおよびサブキャリア間隔30kHzを含むと判断する。
【０１３６】
あるいは、サービングセルのキャリア周波数が6GHzよりも大きく30GHz以下なら、UEはサービングセルに対応するサブキャリア間隔セットがサブキャリア間隔30kHzおよびサブキャリア間隔60kHzを含むと判断する。
【０１３７】
あるいは、サービングセルのキャリア周波数が30GHzよりも大きく100GHz以下なら、UEはサービングセルに対応するサブキャリア間隔セットがサブキャリア間隔120kHzおよびサブキャリア間隔240kHzを含むと判断する。
【０１３８】
任意に選べることとして、キャリア周波数とサブキャリア間隔セットとの所定の対応関係は例えば表10に示すとおりであってよい。
【０１３９】
【表１０】
2019511174.tif 000012
【０１４０】
表10に示された対応関係において、S302は次のとおりであってよい。
【０１４１】
サービングセルのキャリア周波数が3GHz以下なら、UEはサービングセルに対応するサブキャリア間隔セットがサブキャリア間隔15kHzおよびサブキャリア間隔17.5kHzを含むと判断する。
【０１４２】
あるいは、サービングセルのキャリア周波数が3GHzよりも大きく6GHz以下なら、UEはサービングセルに対応するサブキャリア間隔セットがサブキャリア間隔17.5kHzおよびサブキャリア間隔35kHzを含むと判断する。
【０１４３】
あるいは、サービングセルのキャリア周波数が6GHzよりも大きく30GHz以下なら、UEはサービングセルに対応するサブキャリア間隔セットがサブキャリア間隔35kHzおよびサブキャリア間隔70kHzを含むと判断する。
【０１４４】
あるいは、サービングセルのキャリア周波数が30GHzよりも大きく100GHz以下なら、UEはサービングセルに対応するサブキャリア間隔セットがサブキャリア間隔140kHzおよびサブキャリア間隔280kHzを含むと判断する。
【０１４５】
任意に選べることとして、キャリア周波数とサブキャリア間隔セットとの所定の対応関係は例えば表11に示すとおりであってよい。
【０１４６】
【表１１】
2019511174.tif 000013
【０１４７】
表11に示された対応関係において、S302は次のとおりであってよい。
【０１４８】
サービングセルのキャリア周波数が6GHz以下なら、UEはサービングセルに対応するサブキャリア間隔セットがサブキャリア間隔15kHzおよびサブキャリア間隔30kHzを含むと判断する。
【０１４９】
あるいは、サービングセルのキャリア周波数が6GHzよりも大きく30GHz以下なら、UEはサービングセルに対応するサブキャリア間隔セットがサブキャリア間隔60kHzおよびサブキャリア間隔120kHzを含むと判断する。
【０１５０】
あるいは、サービングセルのキャリア周波数が30GHzよりも大きく100GHz以下なら、UEはサービングセルに対応するサブキャリア間隔セットがサブキャリア間隔240kHzおよびサブキャリア間隔480kHzを含むと判断する。
【０１５１】
任意に選べることとして、キャリア周波数とサブキャリア間隔セットとの所定の対応関係は例えば表12に示すとおりであってよい。
【０１５２】
【表１２】
2019511174.tif 000014
【０１５３】
表12に示された対応関係において、S302は次のとおりであってよい。
【０１５４】
サービングセルのキャリア周波数が3GHz以下なら、UEはサービングセルに対応するサブキャリア間隔セットがサブキャリア間隔15kHzおよびサブキャリア間隔17.5kHzを含むと判断する。
【０１５５】
あるいは、サービングセルのキャリア周波数が3GHzよりも大きく6GHz以下なら、UEはサービングセルに対応するサブキャリア間隔セットがサブキャリア間隔17.5kHzおよびサブキャリア間隔35kHzを含むと判断する。
【０１５６】
あるいは、サービングセルのキャリア周波数が6GHzよりも大きく30GHz以下なら、UEはサービングセルに対応するサブキャリア間隔セットがサブキャリア間隔70kHzおよびサブキャリア間隔140kHzを含むと判断する。
【０１５７】
あるいは、サービングセルのキャリア周波数が30GHzよりも大きく100GHz以下なら、UEはサービングセルに対応するサブキャリア間隔セットがサブキャリア間隔280kHzおよびサブキャリア間隔560kHzを含むと判断する。
【０１５８】
任意に選べることとして、キャリア周波数とサブキャリア間隔セットとの所定の対応関係は例えば表13に示すとおりであってよい。
【０１５９】
【表１３】
2019511174.tif 000015
【０１６０】
表13に示された対応関係において、S302は次のとおりであってよい。
【０１６１】
サービングセルのキャリア周波数が6GHz以下なら、UEはサービングセルに対応するサブキャリア間隔セットがサブキャリア間隔15kHzおよびサブキャリア間隔30kHzを含むと判断する。
【０１６２】
あるいは、サービングセルのキャリア周波数が6GHzよりも大きく40GHz以下なら、UEはサービングセルに対応するサブキャリア間隔セットがサブキャリア間隔30kHzおよびサブキャリア間隔60kHzを含むと判断する。
【０１６３】
あるいは、サービングセルのキャリア周波数が40GHzよりも大きく80GHz以下なら、UEはサービングセルに対応するサブキャリア間隔セットがサブキャリア間隔60kHzおよびサブキャリア間隔120kHzを含むと判断する。
【０１６４】
あるいは、サービングセルのキャリア周波数が80GHzよりも大きいなら、UEはサービングセルに対応するサブキャリア間隔セットがサブキャリア間隔120kHzおよびサブキャリア間隔240kHzを含むと判断する。
【０１６５】
任意に選べることとして、キャリア周波数とサブキャリア間隔セットとの所定の対応関係は例えば表14に示すとおりであってよい。
【０１６６】
【表１４】
2019511174.tif 000016
【０１６７】
表14に示された対応関係において、S302は次のとおりであってよい。
【０１６８】
サービングセルのキャリア周波数が3GHz以下なら、UEはサービングセルに対応するサブキャリア間隔セットがサブキャリア間隔15kHzおよびサブキャリア間隔17.5kHzを含むと判断する。
【０１６９】
あるいは、サービングセルのキャリア周波数が3GHzよりも大きく6GHz以下なら、UEはサービングセルに対応するサブキャリア間隔セットがサブキャリア間隔17.5kHzおよびサブキャリア間隔35kHzを含むと判断する。
【０１７０】
あるいは、サービングセルのキャリア周波数が6GHzよりも大きく40GHz以下なら、UEはサービングセルに対応するサブキャリア間隔セットがサブキャリア間隔35kHzおよびサブキャリア間隔70kHzを含むと判断する。
【０１７１】
あるいは、サービングセルのキャリア周波数が40GHzよりも大きく80GHz以下なら、UEはサービングセルに対応するサブキャリア間隔セットがサブキャリア間隔70kHzおよびサブキャリア間隔140kHzを含むと判断する。
【０１７２】
あるいは、サービングセルのキャリア周波数が80GHzよりも大きいなら、UEはサービングセルに対応するサブキャリア間隔セットがサブキャリア間隔280kHzおよびサブキャリア間隔560kHzを含むと判断する。
【０１７３】
本実施形態において、表9から表14に列挙されたキャリア周波数とサブキャリア間隔セットとの対応関係は、それぞれのサブキャリア間隔セットの中のそれぞれのサブキャリア間隔がスペクトルに比較的良好にマッチすることを可能にするため、通信システムの性能が保証され、それぞれのサブキャリア間隔セットの中のサブキャリア間隔数は十分に減らされる。スペクトルは異なる周波数からなるセットを含み得る。なお、表9から表14に示されたサブキャリア間隔セットは同一サービスのシナリオに適用できる。具体的に述べると、サービングセルはただ1つのサービスを、例えばeMBBサービスだけを、サポートする。サービングセルが複数のサービスを、例えばeMBBサービスとMTCサービスを、同時にサポートする場合は、サポートされるサービスのタイプに基づいてサブキャリア間隔セットの中のサブキャリア間隔の数を適切に増やすことができ、サービスのタイプとユーザー要件に基づいて決定できる。
【０１７４】
S303．UEは、サービングセルに対応するサブキャリア間隔セットに基づいてサービングセルのサブキャリア間隔を判断する。
【０１７５】
具体的に述べると、S303の具体的な実行プロセスについては、図2に示されたS203の説明を参照されたく、ここでは詳細を繰り返し説明しない。
【０１７６】
第3の実装において、UEは、サービングセルの同期信号に対応するサブキャリア間隔およびサービングセルのブロードキャストチャネルに対応するサブキャリア間隔に基づいて、サービングセルのサブキャリア間隔を判断する。この様態は、全てのサービングセルが同一のサブキャリア間隔を使用して同期チャネルおよびブロードキャストチャネルを送信する場合に当てはまる。このようにして、UEは同期信号を盲目的に検出せずにサービングセルのサブキャリア間隔を判断できる。したがって、UEが同期信号を検出する時間は短縮される。具体的に述べると、UEがサービングセルと同期する時間が短縮され、UEがサービングセルにアクセスする時間が短縮され、UEによってサービングセルの同期信号を検出する成功率が増し、UEによってセルにアクセスする成功率が増すため、UEによってサービングセルのサブキャリア間隔を判断する成功率が増す。図4は本願によるさらに別の情報通信方法の概略流れ図である。図4に示されているように、方法は下記ステップを含み得る。
【０１７７】
S401．UEは、サービングセルの同期信号に対応するサブキャリア間隔およびサービングセルのブロードキャストチャネルに対応するサブキャリア間隔を判断する。
【０１７８】
具体的に述べると、本実施形態においては、全てのサービングセルが同一のサブキャリア間隔を使用して同期チャネルおよびブロードキャストチャネルを送信する。したがって、UEは、このサブキャリア間隔に基づいて、サービングセルの同期信号に対応するサブキャリア間隔およびサービングセルのブロードキャストチャネルに対応するサブキャリア間隔を判断できる。全てのサービングセルに適応できるサブキャリア間隔に対応する具体的な値はUEであらかじめ設定できるため、UEはサブキャリア間隔をいつでも得ることができ、このサブキャリア間隔に基づいて、サービングセルの同期信号に対応するサブキャリア間隔およびサービングセルのブロードキャストチャネルに対応するサブキャリア間隔を判断する。
【０１７９】
S402．UEは、サービングセルの同期信号に対応するサブキャリア間隔に基づいてサービングセルの同期信号を検出し、サービングセルと同期する。
【０１８０】
S403．UEは、サービングセルのブロードキャストチャネルに対応するサブキャリア間隔に基づいてサービングセルのマスター情報ブロックを検出し、ここで、サービングセルのマスター情報ブロックはサブキャリア間隔指示情報を含み、サブキャリア間隔指示情報はサービングセルのサブキャリア間隔をUEに指示するために使用される。
【０１８１】
S404．UEは、サブキャリア間隔指示情報に基づいてサービングセルのサブキャリア間隔を判断する。
【０１８２】
S402からS404の具体的な実行プロセスについては、図2に示されたS203における本願の別の実装の説明を参照されたく、ここでは詳細を繰り返し説明しない。
【０１８３】
本願で提供される情報通信方法に基づけば、サービングセルが様々なサービス、様々な配備シナリオ、および様々なスペクトルで様々なシステムパラメータを使用する場合、UEはサービングセルによって現在使用されているサブキャリア間隔を判断でき、サブキャリア間隔に基づいてサービングセルによって現在使用されているシステムパラメータを判断し、UEはシステムパラメータを用いてサービングセルの中でネットワークデバイスと情報通信を遂行でき、これにより情報通信の効率が向上する。
【０１８４】
図5は本願によるさらに別の情報通信方法の概略流れ図である。本実施形態は、ネットワークデバイスがサービングセルのサブキャリア間隔に基づいてサービングセルのシステムパラメータを判断する特定のプロセスに関する。図5に示されているように、方法は下記ステップを含み得る。
【０１８５】
S501．ネットワークデバイスは、サービングセルのサブキャリア間隔を判断する。
【０１８６】
S502．ネットワークデバイスは、サービングセルのサブキャリア間隔に基づいてサービングセルのシステムパラメータを判断する。
【０１８７】
具体的に述べると、S501とS502の具体的な実行プロセスについては、図1に示されたS101とS102において、UEによってサービングセルのサブキャリア間隔を判断する説明と、UEによってサービングセルのサブキャリア間隔に基づいてサービングセルのシステムパラメータを判断する説明を参照されたい。実装原理およびその技術的効果は同様であり、本願では詳細を繰り返し説明しない。
【０１８８】
S503．ネットワークデバイスは、サービングセルのシステムパラメータに基づいてサービングセルの中でUEへ情報を送信し、またはサービングセルのシステムパラメータに基づいてサービングセルの中でUEから情報を受信する。
【０１８９】
具体的に述べると、ネットワークデバイスは、サービングセルのシステムパラメータを得た後に、システムパラメータを使用してサービングセル内のUEと情報通信を遂行できる。例えば、ネットワークデバイスは、サービングセルのシステムパラメータに基づいてサービングセルの中でUEへ情報を送信でき、この情報は、例えばダウンリンクデータ、ダウンリンク制御情報、またはダウンリンク基準信号であってよい。UEは、サービングセルのシステムパラメータに基づいてサービングセルの中でUEから情報をさらに受信でき、この情報は、例えばアップリンクデータ、またはアップリンク制御情報であってよい。
【０１９０】
本願で提供される情報通信方法に基づけば、サービングセルが様々なサービス、様々な配備シナリオ、および様々なスペクトルで様々なシステムパラメータを使用する場合、ネットワークデバイスはサービングセルによって現在使用されているサブキャリア間隔を用いてサービングセルによって現在使用されているシステムパラメータを判断できるため、ネットワークデバイスはシステムパラメータを用いてサービングセル内のUEと情報通信を遂行でき、これにより情報通信の効率が向上する。
【０１９１】
さらに、前述した実施形態に基づき、本実施形態はネットワークデバイスがサービングセルのサブキャリア間隔を判断するプロセスに関する。この場合、S501は以下に記す2つの実装を含み得る。
【０１９２】
第1の実装において、ネットワークデバイスは、サービングセルに対応する周波数セットに基づいてサービングセルのサブキャリア間隔を判断する。図6は本願によるさらに別の情報通信方法の概略流れ図である。図6に示されているように、方法は下記ステップを含み得る。
【０１９３】
S601．ネットワークデバイスは、サービングセルに対応する周波数セットを判断する。
【０１９４】
S602．ネットワークデバイスは、サービングセルに対応する周波数セットに基づいてサービングセルに対応するサブキャリア間隔セットを判断する。
【０１９５】
S601とS602の具体的な実行プロセスについては、図2に示されたS201とS202において、UEによってサービングセルに対応する周波数セットを判断する説明と、UEによってサービングセルに対応する周波数セットに基づいてサービングセルに対応するサブキャリア間隔セットを判断する説明を参照されたい。実装原理およびその技術的効果は同様であり、本願では詳細を繰り返し説明しない。
【０１９６】
S603．ネットワークデバイスは、サービングセルに対応するサブキャリア間隔セットに基づいてサービングセルのサブキャリア間隔を判断する。
【０１９７】
具体的に述べると、ネットワークデバイスは特定のシナリオとサービングセルに対応するサブキャリア間隔セットとに基づいてサービングセルのサブキャリア間隔を判断できるため、サービングセルは様々なシナリオで様々なサブキャリア間隔を使用でき、シナリオにより良くマッチしたサブキャリア間隔を使用することによって通信システムの性能は向上する。例えば、大きい遅延拡散のシナリオではサブキャリア間隔セットの中で比較的小さいサブキャリア間隔を使用できる。高速シナリオではサブキャリア間隔セットの中で比較的大きいサブキャリア間隔を使用できる。サービングセルに対応する周波数セットに含まれる各周波数が6GHz以下の場合に、サービングセルに対応するサブキャリア間隔セットがサブキャリア間隔15kHzおよびサブキャリア間隔30kHzを含む一例を用いる。この場合、大きい遅延拡散のシナリオでは、例えば遅延拡散が約5μsまでのシナリオでは、サブキャリア間隔15kHzを使用できる。高速シナリオでは、例えば500km/hまでの高速シナリオでは、サブキャリア間隔30kHzを使用できる。なお、ネットワークデバイスによって応用シナリオを得る方式は本願で限定されない。
【０１９８】
第2の実装において、ネットワークデバイスは、サービングセルのキャリア周波数に基づいてサービングセルのサブキャリア間隔を判断する。図7は本願によるさらに別の情報通信方法の概略流れ図である。図7に示されているように、方法は下記ステップを含み得る。
【０１９９】
S701．ネットワークデバイスは、サービングセルのキャリア周波数を判断する。
【０２００】
S702．ネットワークデバイスは、サービングセルのキャリア周波数に基づいてサービングセルに対応するサブキャリア間隔セットを判断する。
【０２０１】
S701とS702の具体的な実行プロセスについては、図3に示されたS301とS302において、UEによってサービングセルのキャリア周波数を判断する説明と、UEによってサービングセルのキャリア周波数に基づいてサービングセルに対応するサブキャリア間隔セットを判断する説明を参照されたい。実装原理およびその技術的効果は同様であり、本願では詳細を繰り返し説明しない。
【０２０２】
S703．ネットワークデバイスは、サービングセルに対応するサブキャリア間隔セットに基づいてサービングセルのサブキャリア間隔を判断する。
【０２０３】
S703の具体的な実行プロセスについては、図6に示されたS603の説明を参照されたい。実装原理およびその技術的効果は同様であり、本願では詳細を繰り返し説明しない。
【０２０４】
さらに、前述の実施形態に基づき、本実施形態は、ネットワークデバイスがサービングセルのブロードキャストチャネルおよび同期信号を送信する特定のプロセスに関し、これは以下に記す2つの実装を含み得る。
【０２０５】
第1の実装において、ネットワークデバイスは、サービングセルに対応するサブキャリア間隔セットに基づいてサービングセルのブロードキャストチャネルおよび同期信号を送信する。図8は本願によるさらに別の情報通信方法の概略流れ図である。図8に示されているように、方法は、図6に示され得たS602の後に、または図7に示されたS702の後に、下記ステップを含み得る。
【０２０６】
S801．ネットワークデバイスは、サービングセルに対応するサブキャリア間隔セットに基づいて、サービングセルの同期信号に対応するサブキャリア間隔およびサービングセルのブロードキャストチャネルに対応するサブキャリア間隔を判断する。
【０２０７】
具体的に述べると、ネットワークデバイスは、サービングセルに対応するサブキャリア間隔セットの中の特定のサブキャリア間隔を、サービングセルの同期信号に対応するサブキャリア間隔およびサービングセルのブロードキャストチャネルに対応するサブキャリア間隔として使用できる。サービングセルのサブキャリア間隔は、サービングセルの同期信号に対応するサブキャリア間隔およびサービングセルのブロードキャストチャネルに対応するサブキャリア間隔と同一であってよく、または異なってよい。本願の別の実装において、サービングセルに対応するサブキャリア間隔セットの中の各サブキャリア間隔につき、サービングセルの同期信号に対応するサブキャリア間隔とサービングセルのブロードキャストチャネルに対応するサブキャリア間隔は変わらないままであってよい。例えば、サービングセルの同期信号に対応するサブキャリア間隔とサービングセルのブロードキャストチャネルに対応するサブキャリア間隔は同一であってよく、サービングセルに対応するサブキャリア間隔セットの中で最も大きいサブキャリア間隔である。この場合、サービングセルに対応するサブキャリア間隔セットの中の異なるサブキャリア間隔について、同期チャネルとブロードキャストチャネルはいずれも同一のサブキャリア間隔を使用して送信されるため、ネットワークデバイスは、サービングセルに対応するサブキャリア間隔セットに基づいて、サービングセルの同期信号に対応するサブキャリア間隔およびサービングセルのブロードキャストチャネルに対応するサブキャリア間隔を速やかに判断でき、サービングセルにアクセスするUEは同期信号を盲目的に検出せずにサービングセルのサブキャリア間隔を判断できる。したがって、UEが同期信号を検出する時間は短縮される。具体的に述べると、UEがサービングセルと同期する時間が短縮され、UEがサービングセルにアクセスする時間が短縮され、UEによってサービングセルの同期信号を検出する成功率が増し、UEによってセルにアクセスする成功率が増す。加えて、最も大きいサブキャリア間隔を使用することによって、様々なシナリオに、例えば高速シナリオと低速シナリオに、同期チャネルとブロードキャストチャネルを適用できる。したがって、ドップラー周波数の影響を解消できる。
【０２０８】
さらに、サービングセルの同期信号に対応するサイクリックプレフィックスとサービングセルのブロードキャストチャネルに対応するサイクリックプレフィックスは、サービングセルのデータチャネルに対応するサイクリックプレフィックスよりも大きくてよい。ここで、サービングセルの同期信号に対応するサイクリックプレフィックスとサービングセルのブロードキャストチャネルに対応するサイクリックプレフィックスは、同期信号を伝送するためのシンボルに対応するサイクリックプレフィックスとブロードキャストチャネルを伝送するためのシンボルに対応するサイクリックプレフィックスであってよく、データチャネルに対応するサイクリックプレフィックスは、データを伝送するためのシンボルに対応するサイクリックプレフィックスであってよい。このように、サービングセルの同期信号およびブロードキャストチャネルのカバレッジを拡張でき、サービングセルの同期信号およびブロードキャストチャネルのロバスト性を向上させることができる。
【０２０９】
S802．ネットワークデバイスは、サービングセルの同期信号に対応するサブキャリア間隔に基づいてサービングセルの中でサービングセルの同期信号を送信し、サービングセルのブロードキャストチャネルに対応するサブキャリア間隔に基づいてサービングセルの中でサービングセルのブロードキャストチャネルを送信し、ここで、ブロードキャストチャネルで運ばれるサービングセルのマスター情報ブロックはサブキャリア間隔指示情報を含み、サブキャリア間隔指示情報はサービングセルのサブキャリア間隔をUEに指示するために使用される。
【０２１０】
具体的に述べると、ネットワークデバイスはサービングセルで同期信号およびブロードキャストチャネルを送信するため、サービングセルにアクセスするUEは、同期信号に基づいてサービングセルと同期でき、ブロードキャストチャネルで運ばれるマスター情報ブロックに基づいてサービングセルのサブキャリア間隔を得ることができ、サービングセルのサブキャリア間隔に基づいてサービングセルのシステムパラメータを判断する。したがって、UEはシステムパラメータを用いてサービングセルの中で情報を送信または受信できる。
【０２１１】
ネットワークデバイスがサービングセルの同期信号およびブロードキャストチャネルを送信する具体的な実装については、先行技術を参照されたい。ブロードキャストチャネル、マスター情報ブロック、およびサブキャリア間隔指示情報の具体的な説明については、図2に示されたS203における本願の別の実装の説明を参照されたく、ここでは詳細を繰り返し説明しない。
【０２１２】
第2の実装において、ネットワークデバイスは、全てのセルに適応できる同期信号に対応するサブキャリア間隔に基づいて、また全てのセルに適応できるブロードキャストチャネルに対応するサブキャリア間隔に基づいて、サービングセルの同期信号およびブロードキャストチャネルを送信する。図9は本願によるさらに別の情報通信方法の概略流れ図である。図9に示されているように、方法は下記ステップを含み得る。
【０２１３】
S901．ネットワークデバイスは、サービングセルの同期信号に対応するサブキャリア間隔およびサービングセルのブロードキャストチャネルに対応するサブキャリア間隔を判断する。
【０２１４】
具体的に述べると、本実施形態においては、全てのサービングセルが同一のサブキャリア間隔を使用して同期チャネルおよびブロードキャストチャネルを送信する。したがって、ネットワークデバイスは、サービングセルの同期信号に対応するサブキャリア間隔として、またサービングセルのブロードキャストチャネルに対応するサブキャリア間隔として、このサブキャリア間隔をそのまま使用できる。
【０２１５】
S902．ネットワークデバイスは、サービングセルの同期信号に対応するサブキャリア間隔に基づいてサービングセルの中でサービングセルの同期信号を送信し、サービングセルのブロードキャストチャネルに対応するサブキャリア間隔に基づいてサービングセルの中でサービングセルのブロードキャストチャネルを送信し、ここで、ブロードキャストチャネルで運ばれるサービングセルのマスター情報ブロックはサブキャリア間隔指示情報を含み、サブキャリア間隔指示情報はサービングセルのサブキャリア間隔をUEに指示するために使用される。
【０２１６】
S902の具体的な実行プロセスについては、図8に示されたS802の説明を参照されたい。実装原理およびその技術的効果は同様であり、本願では詳細を繰り返し説明しない。
【０２１７】
なお、本願のどの実施形態においても、別段の記載がある場合を除き、前述したステップの順序は限定されず、ステップ間の相互依存関係は限定されない。
【０２１８】
図10は本願によるユーザー機器の概略構造図である。図10に示されているように、ユーザー機器（UE）は処理部11と送受信部12とを含み得る。
【０２１９】
処理部11は、サービングセルのサブキャリア間隔を判断し、サービングセルのサブキャリア間隔に基づいてサービングセルのシステムパラメータを判断するように構成される。ここで説明するサービングセルのシステムパラメータは、サブフレーム長、サブフレームに含まれるシンボル数、サイクリックプレフィックス（CP）長といったパラメータのうちの1つ以上を含み得る。
【０２２０】
送受信部12は、処理部11によって判断されたサービングセルのシステムパラメータに基づいてサービングセルの中でネットワークデバイスへ情報を送信し、または処理部11によって判断されたサービングセルのシステムパラメータに基づいてサービングセルの中でネットワークデバイスから情報を受信するように構成される。
【０２２１】
処理部11および送受信部12は、ソフトウェアを用いて実装されてよく、あるいはハードウェアを用いて実装されてもよく、あるいはハードウェアとソフトウェアの組み合わせで実装されてもよい。特定の実装において、処理部11はUEのプロセッサであってよく、送受信部12はUEのトランシーバなどであってよい。
【０２２２】
本願で提供されるUEは前述した方法の実施形態を遂行できる。実装原理およびその技術的効果は同様であり、ここでは詳細を繰り返し説明しない。
【０２２３】
任意に選べることとして、処理部12がサービングセルのサブキャリア間隔を判断するように構成されることは次のとおりであってよい。
【０２２４】
処理部12は、サービングセルに対応する周波数セットを判断し、サービングセルに対応する周波数セットに基づいてサービングセルに対応するサブキャリア間隔セットを判断し、サービングセルに対応するサブキャリア間隔セットに基づいてサービングセルのサブキャリア間隔を判断するように構成される。
【０２２５】
あるいは、処理部12は、サービングセルのキャリア周波数を判断し、サービングセルのキャリア周波数に基づいてサービングセルに対応するサブキャリア間隔セットを判断し、サービングセルに対応するサブキャリア間隔セットに基づいてサービングセルのサブキャリア間隔を判断するように構成される。
【０２２６】
処理部12がサービングセルのキャリア周波数に基づいてサービングセルに対応するサブキャリア間隔セットを判断するように構成されることは次のとおりであってよい。
【０２２７】
処理部12は、サービングセルのキャリア周波数が6GHz以下である場合に、サービングセルに対応するサブキャリア間隔セットがサブキャリア間隔15kHzおよびサブキャリア間隔30kHzを含むと判断し、またはサービングセルのキャリア周波数が6GHzよりも大きく30GHz以下である場合に、サービングセルに対応するサブキャリア間隔セットがサブキャリア間隔30kHzおよびサブキャリア間隔60kHzを含むと判断し、またはサービングセルのキャリア周波数が30GHzよりも大きく100GHz以下である場合に、サービングセルに対応するサブキャリア間隔セットがサブキャリア間隔120kHzおよびサブキャリア間隔240kHzを含むと判断するように構成される。
【０２２８】
あるいは、処理部12は、サービングセルのキャリア周波数が3GHz以下である場合に、サービングセルに対応するサブキャリア間隔セットがサブキャリア間隔15kHzおよびサブキャリア間隔17.5kHzを含むと判断し、またはサービングセルのキャリア周波数が3GHzよりも大きく6GHz以下である場合に、サービングセルに対応するサブキャリア間隔セットがサブキャリア間隔17.5kHzおよびサブキャリア間隔35kHzを含むと判断し、またはサービングセルのキャリア周波数が6GHzよりも大きく30GHz以下である場合に、サービングセルに対応するサブキャリア間隔セットがサブキャリア間隔35kHzおよびサブキャリア間隔70kHzを含むと判断し、またはサービングセルのキャリア周波数が30GHzよりも大きく100GHz以下である場合に、サービングセルに対応するサブキャリア間隔セットがサブキャリア間隔140kHzおよびサブキャリア間隔280kHzを含むと判断するように構成される。
【０２２９】
任意に選べることとして、サービングセルに対応するサブキャリア間隔セットが1つまたは2つのサブキャリア間隔を含む場合に、処理部12がサービングセルに対応するサブキャリア間隔セットに基づいてサービングセルのサブキャリア間隔を判断するように構成されることは次のとおりであってよい。
【０２３０】
処理部12は、送受信部11を用いて、サービングセルに対応するサブキャリア間隔セットに基づいてサービングセルの同期信号を検出し、検出したサービングセルの同期信号に基づいてサービングセルのサブキャリア間隔を判断するように構成される。
【０２３１】
任意に選べることとして、サービングセルに対応するサブキャリア間隔セットが3つ以上のサブキャリア間隔を含む場合に、処理部がサービングセルに対応するサブキャリア間隔セットに基づいてサービングセルのサブキャリア間隔を判断するように構成されることは次のとおりであってよい。
【０２３２】
処理部12は、サービングセルに対応するサブキャリア間隔セットに基づいて、サービングセルの同期信号に対応するサブキャリア間隔およびサービングセルのブロードキャストチャネルに対応するサブキャリア間隔を判断し、
送受信部11を用いて、サービングセルの同期信号に対応するサブキャリア間隔に基づいてサービングセルの同期信号を検出し、送受信部11を用いて、サービングセルと同期し、
送受信部11を用いて、サービングセルのブロードキャストチャネルに対応するサブキャリア間隔に基づいてサービングセルのマスター情報ブロックを検出し、ここで、マスター情報ブロックがサブキャリア間隔指示情報を含み、サブキャリア間隔指示情報がサービングセルのサブキャリア間隔をUEに指示するために使用され、
サブキャリア間隔指示情報に基づいてサービングセルのサブキャリア間隔を判断するように構成される。
【０２３３】
サービングセルの同期信号に対応するサブキャリア間隔とサービングセルのブロードキャストチャネルに対応するサブキャリア間隔は、サービングセルに対応するサブキャリア間隔セットのうちのいずれかのサブキャリア間隔であってよい。例えば、サービングセルの同期信号に対応するサブキャリア間隔とサービングセルのブロードキャストチャネルに対応するサブキャリア間隔は同一であってよく、サービングセルに対応するサブキャリア間隔セットの中で最も大きいサブキャリア間隔であってよい。サービングセルの同期信号に対応するサイクリックプレフィックスとサービングセルのブロードキャストチャネルに対応するサイクリックプレフィックスはいずれも、サービングセルのデータチャネルに対応するサイクリックプレフィックスよりも大きくてよい。
【０２３４】
任意に選べることとして、全てのサービングセルが同一のサブキャリア間隔を使用して同期信号およびブロードキャストチャネルを送信する場合、処理部12がサービングセルのサブキャリア間隔を判断するように構成されることは次のとおりであってよい。
【０２３５】
処理部12は、サービングセルの同期信号に対応するサブキャリア間隔およびサービングセルのブロードキャストチャネルに対応するサブキャリア間隔を判断し、
送受信部11を用いて、サービングセルの同期信号に対応するサブキャリア間隔に基づいてサービングセルの同期信号を検出し、送受信部11を用いて、サービングセルと同期し、
送受信部11を用いて、サービングセルのブロードキャストチャネルに対応するサブキャリア間隔に基づいてサービングセルのマスター情報ブロックを検出し、ここで、サービングセルのマスター情報ブロックがサブキャリア間隔指示情報を含み、サブキャリア間隔指示情報がサービングセルのサブキャリア間隔をUEに指示するために使用され、
サブキャリア間隔指示情報に基づいてサービングセルのサブキャリア間隔を判断するように構成される。
【０２３６】
サービングセルの同期信号に対応するサイクリックプレフィックスとサービングセルのブロードキャストチャネルに対応するサイクリックプレフィックスはいずれも、サービングセルのデータチャネルに対応するサイクリックプレフィックスよりも大きくてよい。
【０２３７】
本願で提供されるUEは前述した方法の実施形態を実行できる。実装原理およびその技術的効果は同様であり、ここでは詳細を繰り返し説明しない。
【０２３８】
図11は本願によるネットワークデバイスの概略構造図である。図11に示されているように、ネットワークデバイスは処理部21と送受信部22とを含み得る。
【０２３９】
処理部21は、サービングセルのサブキャリア間隔を判断し、サービングセルのサブキャリア間隔に基づいてサービングセルのシステムパラメータを判断するように構成される。ここで説明するサービングセルのシステムパラメータは、サブフレーム長、サブフレームに含まれるシンボル数、サイクリックプレフィックス（CP）長といったパラメータのうちの1つ以上を含み得る。
【０２４０】
送受信部22は、処理部21によって判断されたサービングセルのシステムパラメータに基づいてサービングセルの中でUEへ情報を送信し、または処理部21によって判断されたサービングセルのシステムパラメータに基づいてサービングセルの中でUEから情報を受信するように構成される。
【０２４１】
処理部11および送受信部12は、ソフトウェアを用いて実装されてよく、あるいはハードウェアを用いて実装されてもよく、あるいはハードウェアとソフトウェアの組み合わせで実装されてもよい。特定の実装において、処理部11はネットワークデバイスのプロセッサであってよく、送受信部12はネットワークデバイスのトランシーバなどであってよい。
【０２４２】
本願で提供されるネットワークデバイスは前述した方法の実施形態を実行できる。実装原理およびその技術的効果は同様であり、ここでは詳細を繰り返し説明しない。
【０２４３】
任意に選べることとして、処理部12がサービングセルのサブキャリア間隔を判断するように構成されることは次のとおりであってよい。
【０２４４】
処理部12は、サービングセルに対応する周波数セットを判断し、サービングセルに対応する周波数セットに基づいてサービングセルに対応するサブキャリア間隔セットを判断し、サービングセルに対応するサブキャリア間隔セットに基づいてサービングセルのサブキャリア間隔を判断するように構成される。
【０２４５】
あるいは、処理部12は、サービングセルのキャリア周波数を判断し、サービングセルのキャリア周波数に基づいてサービングセルに対応するサブキャリア間隔セットを判断し、サービングセルに対応するサブキャリア間隔セットに基づいてサービングセルのサブキャリア間隔を判断するように構成される。
【０２４６】
処理部12がサービングセルのキャリア周波数に基づいてサービングセルに対応するサブキャリア間隔セットを判断するように構成されることは次のとおりであってよい。
【０２４７】
処理部12は、サービングセルのキャリア周波数が6GHz以下である場合に、サービングセルに対応するサブキャリア間隔セットがサブキャリア間隔15kHzおよびサブキャリア間隔30kHzを含むと判断し、またはサービングセルのキャリア周波数が6GHzよりも大きく30GHz以下である場合に、サービングセルに対応するサブキャリア間隔セットがサブキャリア間隔30kHzおよびサブキャリア間隔60kHzを含むと判断し、またはサービングセルのキャリア周波数が30GHzよりも大きく100GHz以下である場合に、サービングセルに対応するサブキャリア間隔セットがサブキャリア間隔120kHzおよびサブキャリア間隔240kHzを含むと判断するように構成される。
【０２４８】
あるいは、処理部12は、サービングセルのキャリア周波数が3GHz以下である場合に、サービングセルに対応するサブキャリア間隔セットがサブキャリア間隔15kHzおよびサブキャリア間隔17.5kHzを含むと判断し、またはサービングセルのキャリア周波数が3GHzよりも大きく6GHz以下である場合に、サービングセルに対応するサブキャリア間隔セットがサブキャリア間隔17.5kHzおよびサブキャリア間隔35kHzを含むと判断し、またはサービングセルのキャリア周波数が6GHzよりも大きく30GHz以下である場合に、サービングセルに対応するサブキャリア間隔セットがサブキャリア間隔35kHzおよびサブキャリア間隔70kHzを含むと判断し、またはサービングセルのキャリア周波数が30GHzよりも大きく100GHz以下である場合に、サービングセルに対応するサブキャリア間隔セットがサブキャリア間隔140kHzおよびサブキャリア間隔280kHzを含むと判断するように構成される。
【０２４９】
さらに、前述の実施形態に基づき、処理部21は、サービングセルに対応するサブキャリア間隔セットに基づいて、サービングセルの同期信号に対応するサブキャリア間隔およびサービングセルのブロードキャストチャネルに対応するサブキャリア間隔を判断するようにさらに構成される。
【０２５０】
この場合、送受信部22は、処理部21によって判断された、サービングセルの同期信号に対応するサブキャリア間隔に基づいてサービングセルの中でサービングセルの同期信号を送信し、処理部21によって判断された、サービングセルのブロードキャストチャネルに対応するサブキャリア間隔に基づいてサービングセルの中でサービングセルのブロードキャストチャネルを送信し、ここで、ブロードキャストチャネルで運ばれるサービングセルのマスター情報ブロックがサブキャリア間隔指示情報を含み、サブキャリア間隔指示情報がサービングセルのサブキャリア間隔をUEに指示するために使用される、ようにさらに構成される。
【０２５１】
サービングセルの同期信号に対応するサブキャリア間隔とサービングセルのブロードキャストチャネルに対応するサブキャリア間隔は、サービングセルに対応するサブキャリア間隔セットのうちのいずれかのサブキャリア間隔であってよい。例えば、サービングセルの同期信号に対応するサブキャリア間隔とサービングセルのブロードキャストチャネルに対応するサブキャリア間隔は同一であってよく、サービングセルに対応するサブキャリア間隔セットの中で最も大きいサブキャリア間隔であってよい。サービングセルの同期信号に対応するサイクリックプレフィックスとサービングセルのブロードキャストチャネルに対応するサイクリックプレフィックスはいずれも、サービングセルのデータチャネルに対応するサイクリックプレフィックスよりも大きくてよい。
【０２５２】
任意に選べることとして、全てのサービングセルが同一のサブキャリア間隔を使用して同期信号およびブロードキャストチャネルを送信する場合、処理部21は、サービングセルの同期信号に対応するサブキャリア間隔およびサービングセルのブロードキャストチャネルに対応するサブキャリア間隔を判断するようにさらに構成される。
【０２５３】
この場合、送受信部22は、処理部21によって判断された、サービングセルの同期信号に対応するサブキャリア間隔に基づいてサービングセルの中でサービングセルの同期信号を送信し、処理部21によって判断された、サービングセルのブロードキャストチャネルに対応するサブキャリア間隔に基づいてサービングセルの中でサービングセルのブロードキャストチャネルを送信し、ここで、ブロードキャストチャネルで運ばれるサービングセルのマスター情報ブロックがサブキャリア間隔指示情報を含み、サブキャリア間隔指示情報がサービングセルのサブキャリア間隔をUEに指示するために使用される、ようにさらに構成される。
【０２５４】
サービングセルの同期信号に対応するサイクリックプレフィックスとサービングセルのブロードキャストチャネルに対応するサイクリックプレフィックスはいずれも、サービングセルのデータチャネルに対応するサイクリックプレフィックスよりも大きくてよい。
【０２５５】
本願で提供されるネットワークデバイスは前述した方法の実施形態を遂行できる。実装原理およびその技術的効果は同様であり、ここでは詳細を繰り返し説明しない。
【符号の説明】
【０２５６】
11  処理部
12  送受信部
21  処理部
22  送受信部
【図１】
2019511174.tif 000017
【図２】
2019511174.tif 000018
【図３】
2019511174.tif 000019
【図４】
2019511174.tif 000020
【図５】
2019511174.tif 000021
【図６】
2019511174.tif 000022
【図７】
2019511174.tif 000023
【図８】
2019511174.tif 000024
【図９】
2019511174.tif 000025
【図１０】
2019511174.tif 000026
【図１１】
2019511174.tif 000027
【手続補正書】
【提出日】平成30年11月30日(2018.11.30)
【手続補正１】
【補正対象書類名】明細書
【補正対象項目名】００１５
【補正方法】変更
【補正の内容】
【００１５】
前述した可能な実装で提供される情報通信方法に基づけば、サービングセルに対応するサブキャリア間隔セット内のサブキャリア間隔の数が2以下である場合は、UEによってサービングセルの同期信号を盲目的に検出する回数を減らすことができ、UEによってサービングセルの同期信号を検出する成功率を増すことができ、UEがサービングセルの同期信号を検出する時間を短縮できる。具体的に述べると、UEがサービングセルにアクセスする時間が短縮され、UEによってセルにアクセスする成功率が増すため、UEによってサービングセルのサブキャリア間隔を判断する成功率は増す。
【手続補正２】
【補正対象書類名】明細書
【補正対象項目名】００２４
【補正方法】変更
【補正の内容】
【００２４】
さらに、第2の態様の可能な一実装において、ネットワークデバイスにより、サービングセルのキャリア周波数に基づいてサービングセルに対応するサブキャリア間隔セットを判断するステップは、
サービングセルのキャリア周波数が3GHz以下である場合に、ネットワークデバイスにより、サービングセルに対応するサブキャリア間隔セットがサブキャリア間隔15kHzおよびサブキャリア間隔17.5kHzを含むと判断するステップ、または
サービングセルのキャリア周波数が3GHzよりも大きく6GHz以下である場合に、ネットワークデバイスにより、サービングセルに対応するサブキャリア間隔セットがサブキャリア間隔17.5kHzおよびサブキャリア間隔35kHzを含むと判断するステップ、または
サービングセルのキャリア周波数が6GHzよりも大きく30GHz以下である場合に、ネットワークデバイスにより、サービングセルに対応するサブキャリア間隔セットがサブキャリア間隔35kHzおよびサブキャリア間隔70kHzを含むと判断するステップ、または
サービングセルのキャリア周波数が30GHzよりも大きく100GHz以下である場合に、ネットワークデバイスにより、サービングセルに対応するサブキャリア間隔セットがサブキャリア間隔140kHzおよびサブキャリア間隔280kHzを含むと判断するステップ
を含む。
【手続補正３】
【補正対象書類名】明細書
【補正対象項目名】００５０
【補正方法】変更
【補正の内容】
【００５０】
本願で述べるユーザー機器（UE）は携帯電話機やタブレットコンピュータといった無線端末であってよい。無線端末はユーザーに音声サービスおよび／またはデータサービスを提供するデバイスを含む。任意に選べることとして、デバイスは無線接続機能を有する手持ち型デバイスであってよく、あるいは無線モデムへ接続される別の処理デバイスであってもよい。加えて、無線端末は無線アクセスネットワーク（RAN、Radio Access Network）を通じて1つ以上のコアネットワークと通信できる。例えば、無線端末は携帯電話機（「セルラー」フォンとも呼ばれる）などのモバイル端末であってよく、あるいはモバイル端末を有するコンピュータであってもよい。モバイル端末を有するコンピュータは、ポータブル、ポケットサイズ、手持ち型、またはコンピュータ内蔵モバイル装置であってよく、あるいはコアネットワークと音声および／またはデータを交換できる車内モバイル装置であってよい。例えば、無線端末は、パーソナル通信サービス（PCS、Personal Communications Service）電話機、コードレス電話機、セッション開始プロトコル（SIP）電話機、無線ローカルループ（Wireless Local Loop、WLL）、またはパーソナル・デジタル・アシスタント（Personal Digital Assistant、PDA）を含むことができる。無線端末は、システム、サブスクライバユニット（Subscriber Unit）、サブスクライバステーション（Subscriber Station）、モバイルステーション（Mobile Station）、リモートステーション（Remote Station）、アクセスポイント（Access Point）、リモート端末（Remote Terminal）、アクセス端末（Access Terminal）、ユーザー端末（User Terminal）、ユーザーエージェント（User Agent）、ユーザーデバイス（User Device）、またはユーザー機器（User Equipment）と呼ばれることもある。本願のユーザー機器はV2X（Vehicle to everything）通信の乗り物などであってもよい。
【手続補正４】
【補正対象書類名】明細書
【補正対象項目名】００５１
【補正方法】変更
【補正の内容】
【００５１】
本願で述べるネットワークデバイスはセルラー通信ネットワークの中の何らかのデバイスであってよく、例えば基地局（アクセスポイントなど）であってよく、基地局はアクセスネットワークの中にあって1つ以上のセクターを使用してエアインターフェースを介して無線端末と通信するデバイスであってよい。基地局は、受信した無線フレームをIPパケットに変換し、受信したIPパケットを無線フレームに変換し、無線端末とアクセスネットワークの残りの部分との間でルーターとして機能するように構成されてよい。アクセスネットワークの残りの部分はインターネットプロトコル（IP）ネットワークを含み得る。基地局はさらに、エアインターフェース上で属性管理を調整してよい。例えば、基地局は、GSM（登録商標）またはCDMAのベース・トランシーバ・ステーション（BTS、Base Transceiver Station）、WCDMA（登録商標）のノードB（NodeB）、またはLTEのエボルブドノードB（NodeB、eNB、またはe-NodeB、evolved Node B）であってよい。これは本願において限定されない。本願のネットワークデバイスは、本願のユーザー機器に類似するD2D（Device to Device）通信の端末デバイスであってよく、あるいはV2X（Vehicle to everything）通信の乗り物などであってもよい。
【手続補正５】
【補正対象書類名】明細書
【補正対象項目名】００６５
【補正方法】変更
【補正の内容】
【００６５】
なお、表1に示されたシステムパラメータに対応するサブキャリア間隔は15kHzの倍数であるため、これらのシステムパラメータとサブキャリア間隔は既存LTEシステムにマッチし得る。表2に示されたシステムパラメータ5はサブキャリア間隔17.5kHzに対応するため、システムパラメータとサブキャリア間隔は比較的短い伝送時間間隔（Transmission Time Interval、TTI）を、例えば0.125msのTTIを、サポートできる。GPオーバーヘッドは異なるTTIで一定であり得る。
【手続補正６】
【補正対象書類名】明細書
【補正対象項目名】０１２１
【補正方法】変更
【補正の内容】
【０１２１】
サービングセルのサブキャリア間隔がこのように判断される場合、サービングセルに対応するサブキャリア間隔セットは1つまたは2つのサブキャリア間隔を含み得る（例えば表3から表8に示されたサブキャリア間隔セットを含み得る）。したがって、UEによってサービングセルの同期信号を盲目的に検出する回数は減り、UEによってサービングセルの同期信号を検出する成功率は増し、UEがサービングセルの同期信号を検出する時間は短縮される。具体的に述べると、UEがサービングセルにアクセスする時間が短縮され、UEによってセルにアクセスする成功率が増すため、UEによってサービングセルのサブキャリア間隔を判断する成功率は増す。本願におけるサービングセルの同期信号は、サービングセルの一次同期信号PSSおよび二次同期信号SSSのうちの1つ以上を含み得る。
【手続補正７】
【補正対象書類名】明細書
【補正対象項目名】０１２４
【補正方法】変更
【補正の内容】
【０１２４】
サービングセルのサブキャリア間隔がこのように判断される場合、サービングセルの同期信号に対応するサブキャリア間隔とサービングセルのブロードキャストチャネルに対応するサブキャリア間隔は、サービングセルに対応するサブキャリア間隔セットの中のサブキャリア間隔であってよい。任意に選べることとして、サービングセルのサブキャリア間隔は、サービングセルの同期信号に対応するサブキャリア間隔およびサービングセルのブロードキャストチャネルに対応するサブキャリア間隔と同一であってよく、または異なってよい。本願の別の実装において、サービングセルに対応するサブキャリア間隔セットの中の各サブキャリア間隔につき、サービングセルの同期信号に対応するサブキャリア間隔とサービングセルのブロードキャストチャネルに対応するサブキャリア間隔は変わらないままであってよい。例えば、サービングセルの同期信号に対応するサブキャリア間隔とサービングセルのブロードキャストチャネルに対応するサブキャリア間隔は同一であってよく、サービングセルに対応するサブキャリア間隔セットの中で最も大きいサブキャリア間隔である。例えば、サブキャリア間隔セットがサブキャリア間隔15kHzおよびサブキャリア間隔30kHzを含む場合、サービングセルの同期信号に対応するサブキャリア間隔とサービングセルのブロードキャストチャネルに対応するサブキャリア間隔はいずれも30kHzであってよい。この場合、サービングセルに対応するサブキャリア間隔セットの中の異なるサブキャリア間隔について、同期信号とブロードキャストチャネルはいずれも同一のサブキャリア間隔を使用して送信されるため、UEは同期信号を盲目的に検出せずにサービングセルのサブキャリア間隔を判断できる。したがって、UEが同期信号を検出する時間は短縮される。具体的に述べると、UEがサービングセルと同期する時間が短縮され、UEがサービングセルにアクセスする時間が短縮され、UEによってサービングセルの同期信号を検出する成功率が増し、UEによってセルにアクセスする成功率が増すため、UEによってサービングセルのサブキャリア間隔を判断する成功率が増す。
【手続補正８】
【補正対象書類名】明細書
【補正対象項目名】０１７６
【補正方法】変更
【補正の内容】
【０１７６】
第3の実装において、UEは、サービングセルの同期信号に対応するサブキャリア間隔およびサービングセルのブロードキャストチャネルに対応するサブキャリア間隔に基づいて、サービングセルのサブキャリア間隔を判断する。この様態は、全てのサービングセルが同一のサブキャリア間隔を使用して同期信号およびブロードキャストチャネルを送信する場合に当てはまる。このようにして、UEは同期信号を盲目的に検出せずにサービングセルのサブキャリア間隔を判断できる。したがって、UEが同期信号を検出する時間は短縮される。具体的に述べると、UEがサービングセルと同期する時間が短縮され、UEがサービングセルにアクセスする時間が短縮され、UEによってサービングセルの同期信号を検出する成功率が増し、UEによってセルにアクセスする成功率が増すため、UEによってサービングセルのサブキャリア間隔を判断する成功率が増す。図4は本願によるさらに別の情報通信方法の概略流れ図である。図4に示されているように、方法は下記ステップを含み得る。
【手続補正９】
【補正対象書類名】明細書
【補正対象項目名】０１７８
【補正方法】変更
【補正の内容】
【０１７８】
具体的に述べると、本実施形態においては、全てのサービングセルが同一のサブキャリア間隔を使用して同期信号およびブロードキャストチャネルを送信する。したがって、UEは、このサブキャリア間隔に基づいて、サービングセルの同期信号に対応するサブキャリア間隔およびサービングセルのブロードキャストチャネルに対応するサブキャリア間隔を判断できる。全てのサービングセルに適応できるサブキャリア間隔に対応する具体的な値はUEであらかじめ設定できるため、UEはサブキャリア間隔をいつでも得ることができ、このサブキャリア間隔に基づいて、サービングセルの同期信号に対応するサブキャリア間隔およびサービングセルのブロードキャストチャネルに対応するサブキャリア間隔を判断する。
【手続補正１０】
【補正対象書類名】明細書
【補正対象項目名】０２０７
【補正方法】変更
【補正の内容】
【０２０７】
具体的に述べると、ネットワークデバイスは、サービングセルに対応するサブキャリア間隔セットの中の特定のサブキャリア間隔を、サービングセルの同期信号に対応するサブキャリア間隔およびサービングセルのブロードキャストチャネルに対応するサブキャリア間隔として使用できる。サービングセルのサブキャリア間隔は、サービングセルの同期信号に対応するサブキャリア間隔およびサービングセルのブロードキャストチャネルに対応するサブキャリア間隔と同一であってよく、または異なってよい。本願の別の実装において、サービングセルに対応するサブキャリア間隔セットの中の各サブキャリア間隔につき、サービングセルの同期信号に対応するサブキャリア間隔とサービングセルのブロードキャストチャネルに対応するサブキャリア間隔は変わらないままであってよい。例えば、サービングセルの同期信号に対応するサブキャリア間隔とサービングセルのブロードキャストチャネルに対応するサブキャリア間隔は同一であってよく、サービングセルに対応するサブキャリア間隔セットの中で最も大きいサブキャリア間隔である。この場合、サービングセルに対応するサブキャリア間隔セットの中の異なるサブキャリア間隔について、同期信号とブロードキャストチャネルはいずれも同一のサブキャリア間隔を使用して送信されるため、ネットワークデバイスは、サービングセルに対応するサブキャリア間隔セットに基づいて、サービングセルの同期信号に対応するサブキャリア間隔およびサービングセルのブロードキャストチャネルに対応するサブキャリア間隔を速やかに判断でき、サービングセルにアクセスするUEは同期信号を盲目的に検出せずにサービングセルのサブキャリア間隔を判断できる。したがって、UEが同期信号を検出する時間は短縮される。具体的に述べると、UEがサービングセルと同期する時間が短縮され、UEがサービングセルにアクセスする時間が短縮され、UEによってサービングセルの同期信号を検出する成功率が増し、UEによってセルにアクセスする成功率が増す。加えて、最も大きいサブキャリア間隔を使用することによって、様々なシナリオに、例えば高速シナリオと低速シナリオに、同期信号とブロードキャストチャネルを適用できる。したがって、ドップラー周波数の影響を解消できる。
【手続補正１１】
【補正対象書類名】明細書
【補正対象項目名】０２１４
【補正方法】変更
【補正の内容】
【０２１４】
具体的に述べると、本実施形態においては、全てのサービングセルが同一のサブキャリア間隔を使用して同期信号およびブロードキャストチャネルを送信する。したがって、ネットワークデバイスは、サービングセルの同期信号に対応するサブキャリア間隔として、またサービングセルのブロードキャストチャネルに対応するサブキャリア間隔として、このサブキャリア間隔をそのまま使用できる。
【手続補正１２】
【補正対象書類名】明細書
【補正対象項目名】０２２３
【補正方法】変更
【補正の内容】
【０２２３】
任意に選べることとして、処理部11がサービングセルのサブキャリア間隔を判断するように構成されることは次のとおりであってよい。
【手続補正１３】
【補正対象書類名】明細書
【補正対象項目名】０２２４
【補正方法】変更
【補正の内容】
【０２２４】
処理部11は、サービングセルに対応する周波数セットを判断し、サービングセルに対応する周波数セットに基づいてサービングセルに対応するサブキャリア間隔セットを判断し、サービングセルに対応するサブキャリア間隔セットに基づいてサービングセルのサブキャリア間隔を判断するように構成される。
【手続補正１４】
【補正対象書類名】明細書
【補正対象項目名】０２２５
【補正方法】変更
【補正の内容】
【０２２５】
あるいは、処理部11は、サービングセルのキャリア周波数を判断し、サービングセルのキャリア周波数に基づいてサービングセルに対応するサブキャリア間隔セットを判断し、サービングセルに対応するサブキャリア間隔セットに基づいてサービングセルのサブキャリア間隔を判断するように構成される。
【手続補正１５】
【補正対象書類名】明細書
【補正対象項目名】０２２６
【補正方法】変更
【補正の内容】
【０２２６】
処理部11がサービングセルのキャリア周波数に基づいてサービングセルに対応するサブキャリア間隔セットを判断するように構成されることは次のとおりであってよい。
【手続補正１６】
【補正対象書類名】明細書
【補正対象項目名】０２２７
【補正方法】変更
【補正の内容】
【０２２７】
処理部11は、サービングセルのキャリア周波数が6GHz以下である場合に、サービングセルに対応するサブキャリア間隔セットがサブキャリア間隔15kHzおよびサブキャリア間隔30kHzを含むと判断し、またはサービングセルのキャリア周波数が6GHzよりも大きく30GHz以下である場合に、サービングセルに対応するサブキャリア間隔セットがサブキャリア間隔30kHzおよびサブキャリア間隔60kHzを含むと判断し、またはサービングセルのキャリア周波数が30GHzよりも大きく100GHz以下である場合に、サービングセルに対応するサブキャリア間隔セットがサブキャリア間隔120kHzおよびサブキャリア間隔240kHzを含むと判断するように構成される。
【手続補正１７】
【補正対象書類名】明細書
【補正対象項目名】０２２８
【補正方法】変更
【補正の内容】
【０２２８】
あるいは、処理部11は、サービングセルのキャリア周波数が3GHz以下である場合に、サービングセルに対応するサブキャリア間隔セットがサブキャリア間隔15kHzおよびサブキャリア間隔17.5kHzを含むと判断し、またはサービングセルのキャリア周波数が3GHzよりも大きく6GHz以下である場合に、サービングセルに対応するサブキャリア間隔セットがサブキャリア間隔17.5kHzおよびサブキャリア間隔35kHzを含むと判断し、またはサービングセルのキャリア周波数が6GHzよりも大きく30GHz以下である場合に、サービングセルに対応するサブキャリア間隔セットがサブキャリア間隔35kHzおよびサブキャリア間隔70kHzを含むと判断し、またはサービングセルのキャリア周波数が30GHzよりも大きく100GHz以下である場合に、サービングセルに対応するサブキャリア間隔セットがサブキャリア間隔140kHzおよびサブキャリア間隔280kHzを含むと判断するように構成される。
【手続補正１８】
【補正対象書類名】明細書
【補正対象項目名】０２２９
【補正方法】変更
【補正の内容】
【０２２９】
任意に選べることとして、サービングセルに対応するサブキャリア間隔セットが1つまたは2つのサブキャリア間隔を含む場合に、処理部11がサービングセルに対応するサブキャリア間隔セットに基づいてサービングセルのサブキャリア間隔を判断するように構成されることは次のとおりであってよい。
【手続補正１９】
【補正対象書類名】明細書
【補正対象項目名】０２３０
【補正方法】変更
【補正の内容】
【０２３０】
処理部11は、送受信部12を用いて、サービングセルに対応するサブキャリア間隔セットに基づいてサービングセルの同期信号を検出し、検出したサービングセルの同期信号に基づいてサービングセルのサブキャリア間隔を判断するように構成される。
【手続補正２０】
【補正対象書類名】明細書
【補正対象項目名】０２３２
【補正方法】変更
【補正の内容】
【０２３２】
処理部11は、サービングセルに対応するサブキャリア間隔セットに基づいて、サービングセルの同期信号に対応するサブキャリア間隔およびサービングセルのブロードキャストチャネルに対応するサブキャリア間隔を判断し、
送受信部12を用いて、サービングセルの同期信号に対応するサブキャリア間隔に基づいてサービングセルの同期信号を検出し、送受信部12を用いて、サービングセルと同期し、
送受信部12を用いて、サービングセルのブロードキャストチャネルに対応するサブキャリア間隔に基づいてサービングセルのマスター情報ブロックを検出し、ここで、マスター情報ブロックがサブキャリア間隔指示情報を含み、サブキャリア間隔指示情報がサービングセルのサブキャリア間隔をUEに指示するために使用され、
サブキャリア間隔指示情報に基づいてサービングセルのサブキャリア間隔を判断するように構成される。
【手続補正２１】
【補正対象書類名】明細書
【補正対象項目名】０２３４
【補正方法】変更
【補正の内容】
【０２３４】
任意に選べることとして、全てのサービングセルが同一のサブキャリア間隔を使用して同期信号およびブロードキャストチャネルを送信する場合、処理部11がサービングセルのサブキャリア間隔を判断するように構成されることは次のとおりであってよい。
【手続補正２２】
【補正対象書類名】明細書
【補正対象項目名】０２３５
【補正方法】変更
【補正の内容】
【０２３５】
処理部11は、サービングセルの同期信号に対応するサブキャリア間隔およびサービングセルのブロードキャストチャネルに対応するサブキャリア間隔を判断し、
送受信部12を用いて、サービングセルの同期信号に対応するサブキャリア間隔に基づいてサービングセルの同期信号を検出し、送受信部12を用いて、サービングセルと同期し、
送受信部12を用いて、サービングセルのブロードキャストチャネルに対応するサブキャリア間隔に基づいてサービングセルのマスター情報ブロックを検出し、ここで、サービングセルのマスター情報ブロックがサブキャリア間隔指示情報を含み、サブキャリア間隔指示情報がサービングセルのサブキャリア間隔をUEに指示するために使用され、
サブキャリア間隔指示情報に基づいてサービングセルのサブキャリア間隔を判断するように構成される。
【手続補正２３】
【補正対象書類名】明細書
【補正対象項目名】０２４１
【補正方法】変更
【補正の内容】
【０２４１】
処理部21および送受信部22は、ソフトウェアを用いて実装されてよく、あるいはハードウェアを用いて実装されてもよく、あるいはハードウェアとソフトウェアの組み合わせで実装されてもよい。特定の実装において、処理部21はネットワークデバイスのプロセッサであってよく、送受信部22はネットワークデバイスのトランシーバなどであってよい。
【手続補正２４】
【補正対象書類名】明細書
【補正対象項目名】０２４３
【補正方法】変更
【補正の内容】
【０２４３】
任意に選べることとして、処理部21がサービングセルのサブキャリア間隔を判断するように構成されることは次のとおりであってよい。
【手続補正２５】
【補正対象書類名】明細書
【補正対象項目名】０２４４
【補正方法】変更
【補正の内容】
【０２４４】
処理部21は、サービングセルに対応する周波数セットを判断し、サービングセルに対応する周波数セットに基づいてサービングセルに対応するサブキャリア間隔セットを判断し、サービングセルに対応するサブキャリア間隔セットに基づいてサービングセルのサブキャリア間隔を判断するように構成される。
【手続補正２６】
【補正対象書類名】明細書
【補正対象項目名】０２４５
【補正方法】変更
【補正の内容】
【０２４５】
あるいは、処理部21は、サービングセルのキャリア周波数を判断し、サービングセルのキャリア周波数に基づいてサービングセルに対応するサブキャリア間隔セットを判断し、サービングセルに対応するサブキャリア間隔セットに基づいてサービングセルのサブキャリア間隔を判断するように構成される。
【手続補正２７】
【補正対象書類名】明細書
【補正対象項目名】０２４６
【補正方法】変更
【補正の内容】
【０２４６】
処理部21がサービングセルのキャリア周波数に基づいてサービングセルに対応するサブキャリア間隔セットを判断するように構成されることは次のとおりであってよい。
【手続補正２８】
【補正対象書類名】明細書
【補正対象項目名】０２４７
【補正方法】変更
【補正の内容】
【０２４７】
処理部21は、サービングセルのキャリア周波数が6GHz以下である場合に、サービングセルに対応するサブキャリア間隔セットがサブキャリア間隔15kHzおよびサブキャリア間隔30kHzを含むと判断し、またはサービングセルのキャリア周波数が6GHzよりも大きく30GHz以下である場合に、サービングセルに対応するサブキャリア間隔セットがサブキャリア間隔30kHzおよびサブキャリア間隔60kHzを含むと判断し、またはサービングセルのキャリア周波数が30GHzよりも大きく100GHz以下である場合に、サービングセルに対応するサブキャリア間隔セットがサブキャリア間隔120kHzおよびサブキャリア間隔240kHzを含むと判断するように構成される。
【手続補正２９】
【補正対象書類名】明細書
【補正対象項目名】０２４８
【補正方法】変更
【補正の内容】
【０２４８】
あるいは、処理部21は、サービングセルのキャリア周波数が3GHz以下である場合に、サービングセルに対応するサブキャリア間隔セットがサブキャリア間隔15kHzおよびサブキャリア間隔17.5kHzを含むと判断し、またはサービングセルのキャリア周波数が3GHzよりも大きく6GHz以下である場合に、サービングセルに対応するサブキャリア間隔セットがサブキャリア間隔17.5kHzおよびサブキャリア間隔35kHzを含むと判断し、またはサービングセルのキャリア周波数が6GHzよりも大きく30GHz以下である場合に、サービングセルに対応するサブキャリア間隔セットがサブキャリア間隔35kHzおよびサブキャリア間隔70kHzを含むと判断し、またはサービングセルのキャリア周波数が30GHzよりも大きく100GHz以下である場合に、サービングセルに対応するサブキャリア間隔セットがサブキャリア間隔140kHzおよびサブキャリア間隔280kHzを含むと判断するように構成される。
【手続補正３０】
【補正対象書類名】特許請求の範囲
【補正対象項目名】全文
【補正方法】変更
【補正の内容】
【特許請求の範囲】
【請求項１】
無線通信のための方法であって、
サービングセルの周波数セットを判断するステップであって、前記サービングセルの前記周波数セットは複数の周波数セットのうちのいずれか1つであり、前記複数の周波数セットの各々は少なくとも1つのサブキャリア間隔に関連付けられている、ステップと、
前記サービングセルの前記周波数セットに対応する前記少なくとも1つのサブキャリア間隔を判断するステップと、
判断した前記少なくとも1つのサブキャリア間隔に基づいて同期信号を受信するステップと
を含む方法。
【請求項２】
前記サービングセルのキャリア周波数を判断するステップであって、前記キャリア周波数は前記サービングセルの前記周波数セットに属する、ステップ
をさらに含む、請求項1に記載の方法。
【請求項３】
前記サービングセルの前記周波数セットに対応する前記少なくとも1つのサブキャリア間隔を判断する前記ステップは、
同期信号に対応するサブキャリア間隔を判断するステップ
を含む、請求項1または2に記載の方法。
【請求項４】
マスター情報ブロック（MIB）を受信するステップであって、前記MIBはサブキャリア間隔指示情報を含む、ステップと、
前記サブキャリア間隔指示情報に基づいて前記サービングセルのサブキャリア間隔を判断するステップと
をさらに含む、請求項1から3のいずれか一項に記載の方法。
【請求項５】
マスター情報ブロック（MIB）を受信する前記ステップは、
ブロードキャストチャネルに対応するサブキャリア間隔に基づいて前記ブロードキャストチャネルで前記MIBを受信するステップ
を含む、請求項4に記載の方法。
【請求項６】
前記同期信号に対応する前記サブキャリア間隔は、前記ブロードキャストチャネルに対応する前記サブキャリア間隔と同一である、請求項5に記載の方法。
【請求項７】
前記サービングセルの前記サブキャリア間隔に基づいて前記サービングセルのシステムパラメータを判断するステップと、
前記サービングセルの前記システムパラメータに基づいて前記サービングセルの中でネットワークデバイスへ情報を送信し、または前記サービングセルの前記システムパラメータに基づいて前記サービングセルの中でネットワークデバイスから情報を受信するステップと
をさらに含む、請求項4から6のいずれか一項に記載の方法。
【請求項８】
前記サービングセルの前記システムパラメータは、サブフレーム長、サブフレームに含まれるシンボル数、およびサイクリックプレフィックス（CP）長のうちの1つ以上を含む、請求項7に記載の方法。
【請求項９】
前記サービングセルの前記周波数セットが6GHz以下のキャリア周波数を含む周波数セットである場合、前記周波数セットに関連付けられた前記少なくとも1つのサブキャリア間隔は、15kHzまたは30kHzのうちの少なくとも1つを含む、請求項1から8のいずれか一項に記載の方法。
【請求項１０】
前記サービングセルの前記周波数セットが6GHzよりも大きいキャリア周波数を含む周波数セットである場合、前記周波数セットに関連付けられた前記少なくとも1つのサブキャリア間隔は、60kHz、120kHz、240kHz、または480kHzのうちの少なくとも1つを含む、請求項1から9のいずれか一項に記載の方法。
【請求項１１】
前記複数の周波数セットは、
3GHz以下のキャリア周波数を含む周波数セット、
3GHzよりも大きく6GHz以下のキャリア周波数を含む周波数セット、
6GHz以下のキャリア周波数を含む周波数セット、
6GHzよりも大きいキャリア周波数を含む周波数セット、
6GHzよりも大きく30GHz以下のキャリア周波数を含む周波数セット、
30GHzよりも大きいキャリア周波数を含む周波数セット、
30GHzよりも大きく100GHz以下のキャリア周波数を含む周波数セット、
6GHzよりも大きく40GHz以下のキャリア周波数を含む周波数セット、
40GHzよりも大きいキャリア周波数を含む周波数セット、
40GHzよりも大きく80GHz以下のキャリア周波数を含む周波数セット、または
80GHzよりも大きいキャリア周波数を含む周波数セット
のうちの1つ以上を含む、請求項1から10のいずれか一項に記載の方法。
【請求項１２】
サービングセルの周波数セットを判断する手段であって、前記サービングセルの前記周波数セットは複数の周波数セットのうちのいずれか1つであり、前記複数の周波数セットの各々は少なくとも1つのサブキャリア間隔に関連付けられている、手段と、
前記サービングセルの前記周波数セットに対応する前記少なくとも1つのサブキャリア間隔を判断する手段と、
判断した前記少なくとも1つのサブキャリア間隔に基づいて同期信号を受信する手段と
を含む装置。
【請求項１３】
マスター情報ブロック（MIB）を受信する手段であって、前記MIBはサブキャリア間隔指示情報を含む、手段と、
前記サブキャリア間隔指示情報に基づいて前記サービングセルのサブキャリア間隔を判断する手段と
をさらに含む、請求項12に記載の装置。
【請求項１４】
前記サービングセルの前記サブキャリア間隔に基づいて前記サービングセルのシステムパラメータを判断する手段と、
前記サービングセルの前記システムパラメータに基づいて前記サービングセルの中でネットワークデバイスへ情報を送信し、または前記サービングセルの前記システムパラメータに基づいて前記サービングセルの中でネットワークデバイスから情報を受信する手段と
をさらに含む、請求項13に記載の装置。
【請求項１５】
前記サービングセルの前記周波数セットが6GHz以下のキャリア周波数を含む周波数セットである場合、前記周波数セットに関連付けられた前記少なくとも1つのサブキャリア間隔は、15kHzまたは30kHzのうちの少なくとも1つを含む、請求項12から14のいずれか一項に記載の装置。
【請求項１６】
前記サービングセルの前記周波数セットが6GHzよりも大きいキャリア周波数を含む周波数セットである場合、前記周波数セットに関連付けられた前記少なくとも1つのサブキャリア間隔は、60kHz、120kHz、240kHz、または480kHzのうちの少なくとも1つを含む、請求項12から15のいずれか一項に記載の装置。
【請求項１７】
無線通信のための方法であって、
サービングセルの同期信号に対応するサブキャリア間隔に基づいて前記同期信号を伝送するステップであって、前記同期信号に対応する前記サブキャリア間隔には前記サービングセルのキャリア周波数が関連付けられ、前記キャリア周波数は前記サービングセルの周波数セットに属し、前記サービングセルの前記周波数セットには少なくとも1つのサブキャリア間隔が関連付けられる、ステップ
を含む方法。
【請求項１８】
マスター情報ブロック（MIB）を伝送するステップであって、前記MIBはサブキャリア間隔指示情報を含み、前記サブキャリア間隔指示情報は前記サービングセルの前記サブキャリア間隔を指示するために使用される、ステップ
をさらに含む、請求項17に記載の方法。
【請求項１９】
前記サービングセルのシステムパラメータに基づいて前記サービングセルの中で無線端末へ情報を送信し、または前記サービングセルのシステムパラメータに基づいて前記サービングセルの中で無線端末から情報を受信するステップであって、前記サービングセルの前記システムパラメータには前記サービングセルの前記サブキャリア間隔が関連付けられる、ステップ
をさらに含む、請求項18に記載の方法。
【請求項２０】
前記サービングセルの前記周波数セットが6GHz以下のキャリア周波数を含む周波数セットである場合、前記周波数セットに関連付けられた前記少なくとも1つのサブキャリア間隔は、15kHzまたは30kHzのうちの少なくとも1つを含む、請求項17から19のいずれか一項に記載の方法。
【請求項２１】
前記サービングセルの前記周波数セットが6GHzよりも大きいキャリア周波数を含む周波数セットである場合、前記周波数セットに関連付けられた前記少なくとも1つのサブキャリア間隔は、60kHz、120kHz、240kHz、または480kHzのうちの少なくとも1つを含む、請求項17から19のいずれか一項に記載の方法。
【請求項２２】
前記複数の周波数セットは、
3GHz以下のキャリア周波数を含む周波数セット、
3GHzよりも大きく6GHz以下のキャリア周波数を含む周波数セット、
6GHz以下のキャリア周波数を含む周波数セット、
6GHzよりも大きいキャリア周波数を含む周波数セット、
6GHzよりも大きく30GHz以下のキャリア周波数を含む周波数セット、
30GHzよりも大きいキャリア周波数を含む周波数セット、
30GHzよりも大きく100GHz以下のキャリア周波数を含む周波数セット、
6GHzよりも大きく40GHz以下のキャリア周波数を含む周波数セット、
40GHzよりも大きいキャリア周波数を含む周波数セット、
40GHzよりも大きく80GHz以下のキャリア周波数を含む周波数セット、または
80GHzよりも大きいキャリア周波数を含む周波数セット
のうちの1つ以上を含む、請求項17から19のいずれか一項に記載の方法。
【請求項２３】
処理部を含む装置であって、前記処理部は、
サービングセルの同期信号に対応するサブキャリア間隔に基づいて前記同期信号を伝送し、前記同期信号に対応する前記サブキャリア間隔には前記サービングセルのキャリア周波数が関連付けられ、前記キャリア周波数は前記サービングセルの周波数セットに属し、前記サービングセルの前記周波数セットには少なくとも1つのサブキャリア間隔が関連付けられる、
ように構成される、装置。
【請求項２４】
前記処理部は、
マスター情報ブロック（MIB）を伝送し、前記MIBはサブキャリア間隔指示情報を含み、前記サブキャリア間隔指示情報は前記サービングセルの前記サブキャリア間隔を指示するために使用される、
ようにさらに構成される、請求項23に記載の装置。
【請求項２５】
コンピュータプログラムを記録したコンピュータ読み取り可能な記録媒体であって、前記コンピュータプログラムがコンピュータによって実行されると、前記コンピュータは、請求項1から11のいずれか一項に記載の方法、または請求項17から22のいずれか一項に記載の方法を実行する、コンピュータ読み取り可能な記録媒体。
【請求項２６】
プロセッサを含む装置であって、前記プロセッサは、請求項1から11のいずれか一項に記載の方法、または請求項17から22のいずれか一項に記載の方法を実行するように構成される、装置。
【国際調査報告】
2019511174.tif 000028
2019511174.tif 000029
2019511174.tif 000030
2019511174.tif 000031